(57)【要約】【課題】次世代移動通信システムである5G(5th Generation)移動通信システムにおいて、ユーザ装置が緊急通報サービスに適したネットワークに接続する為に、ユーザ装置、コアネットワーク装置、及びIMS装置が行うべき制御方法を提供する。【解決手段】ユーザ装置は、緊急通報と認識できないIMS緊急呼接続において、IMSに対して、前記ユーザ装置が緊急通報と認識できない場合のIMS緊急呼接続信号を送信し、前記IMSから緊急呼接続であることを示す拒絶又はリダイレクトメッセージを受信した場合、接続しているコアネットワークに対して再度IMS緊急呼接続信号を送信するか、又は同一PLMN内の別のコアネットワークに対して再度IMS緊急呼接続信号を送信するかを判断する。【選択図】図13
2019004406.tif 000002
【特許請求の範囲】
【請求項１】
ユーザ装置であって、
前記ユーザ装置が接続する第1のコアネットワークが音声サービス機能のみをサポートしており、緊急呼専用PDU(Packet Data Unit)セッション機能をサポートしていない場合に、
P-CSCF(Proxy Call Session Control Function; Proxy-CSCF)に対して、前記ユーザ装置が緊急通報と認識できない場合のIMS緊急呼接続信号を送信する送受信部と、前記P-CSCFから緊急呼接続であることを示す拒絶又はリダイレクトを示す情報を受信した場合、前記第1のコアネットワークを介して前記P-CSCFに対して再度IMS緊急呼接続信号を送信するか、又は同一PLMN(Public Land Mobile Network)内の第2のコアネットワークを介して前記P-CSCFに対して再度IMS緊急呼接続信号を送信するかを判断する制御部を有する、ことを特徴とするユーザ装置。
【請求項２】
前記送受信部は、アクセスネットワークから、前記1のコアネットワークが少なくとも前記音声サービス機能、又は、前記緊急呼専用PDUセッション機能のいずれか一方のネットワーク機能をサポートしているかを示す情報を含む報知情報を受信する、ことを特徴とする請求項1に記載のユーザ装置。
【請求項３】
前記送受信部は、前記第1のコアネットワークに対する登録手続きにおいて、AMF(Access and Mobility Management Function)に対して登録要求信号を送信し、
前記AMFから、接続するコアネットワークが少なくとも前記音声サービス機能、又は、前記緊急呼専用PDUセッション機能のいずれか一方のネットワーク機能をサポートしているか否かを示す情報を受信する、ことを特徴とする請求項1に記載のユーザ装置。
【請求項４】
前記送受信部は、前記第1のコアネットワークに対する登録手続きにおいて、AMFに対して、緊急呼専用PDUセッションの利用希望を示す情報を含む登録要求メッセージを送信し、
前記AMFから、同一PLMN内の第2のコアネットワークが少なくとも前記音声サービス機能、または前記緊急呼専用PDUセッション機能のいずれか一方のネットワーク機能をサポートしているか否かを示す情報を受信する、ことを特徴とする請求項1に記載のユーザ装置。
【請求項５】
前記送受信部は、前記P-CSCFに対して、前記ユーザ装置が緊急通報と認識できない場合のIMS緊急呼接続信号を送信し、
前記P-CSCFから前記緊急呼接続であることを示す拒絶又はリダイレクトを示す情報を受信した場合、
接続する第1のコアネットワークが前記緊急呼専用PDUセッション機能をサポートしているか検知し、前記緊急呼専用PDUセッション機能をサポートしている場合は、
前記第1のコアネットワークに対して、前記緊急呼専用PDUセッションを使いIMS緊急呼接続信号を送信する、ことを特徴とする請求項1に記載のユーザ装置。
【請求項６】
前記送受信部は、前記P-CSCFに対して、前記ユーザ装置が緊急通報と認識できない場合のIMS緊急呼接続信号を送信し、
前記P-CSCFから前記緊急呼接続であることを示す拒絶又はリダイレクトを示す情報を受信した場合、
接続する第1のコアネットワークが前記緊急呼専用PDUセッション機能をサポートしているか否かを検知し、
前記緊急呼専用PDUセッション機能をサポートしていない場合は、
前記ユーザ装置は、在圏網に関する情報を検知し、ホーム網に在圏している場合は、
前記ユーザ装置に設定されているドメインセレクションロジックに基づいて、同一PLMN内の第2のコアネットワークを選択せず、接続する第1のコアネットワークに対して通常PDUセッションを使いIMS緊急呼接続信号を送信する、ことを特徴とする請求項1に記載のユーザ装置。
【請求項７】
前記送受信部は、前記P-CSCFに対して、前記ユーザ装置が緊急通報と認識できない場合のIMS緊急呼接続信号を送信し、
前記P-CSCFから緊急呼接続であることを示す拒絶又はリダイレクトを示す情報を受信した場合、
接続する第1のコアネットワークが前記緊急呼専用PDUセッション機能をサポートしているか否かを検知し、
前記緊急呼専用PDUセッション機能をサポートしていない場合は、
前記ユーザ装置は、在圏網に関する情報を検知し、ホーム網に在圏している場合は、
前記ユーザ装置に設定されているドメインセレクションロジックに基づいて、同一PLMN内の第2のコアネットワークに対して、前記緊急呼専用PDUセッションを使いIMS緊急呼接続信号を送信する、ことを特徴とする請求項1に記載のユーザ装置。
【請求項８】
前記送受信部は、前記P-CSCFに対して、前記ユーザ装置が緊急通報と認識できない場合のIMS緊急呼接続信号を送信し、
前記P-CSCFから前記緊急呼接続であることを示す拒絶又はリダイレクトを示す情報を受信した場合、
接続する第1のコアネットワークが前記緊急呼専用PDUセッション機能をサポートしているか否かを検知し、
前記緊急呼専用PDUセッション機能をサポートしていない場合は、
前記ユーザ装置は、在圏網に関する情報を検知し、他網に在圏している場合は、
前記ユーザ装置に設定されているドメインセレクションロジックに基づいて、同一PLMN内の第2コアネットワークに対して、前記緊急呼専用PDUセッションを使いIMS緊急呼接続信号を送信する、ことを特徴とする請求項1に記載のユーザ装置。
【請求項９】
前記制御部は、前記P-CSCFに対して、前記ユーザ装置が緊急通報と認識できない場合のIMS緊急呼接続信号を送信し、
前記P-CSCFから前記緊急呼接続であることを示す拒絶又はリダイレクトを示す情報を受信した場合、
接続する第1のコアネットワークが前記緊急呼専用PDUセッション機能をサポートしているか否かを検知し、
前記緊急呼専用PDUセッション機能をサポートしていない場合は、前記登録手続きで取得した、同一PLMN内の第2コアネットワークが少なくとも前記音声サービス機能、または前記緊急呼専用PDUセッション機能のいずれか一方のネットワーク機能をサポートしているかに関する情報に基づいて、前記第1のコアネットワークを介して前記P-CSCFに対して再度IMS緊急呼接続信号を送信するか、又は同一PLMN内の第2のコアネットワークを介して前記P-CSCFに対して再度IMS緊急呼接続信号を送信するかを判断する、ことを特徴とする請求項3に記載のユーザ装置。
【請求項１０】
前記送受信部は、前記P-CSCFに対して、前記ユーザ装置が緊急通報と認識できない場合のIMS緊急呼接続信号を送信し、
前記P-CSCFから緊急呼接続であることを示す拒絶又はリダイレクトを示す情報を受信した場合、
接続する第1のコアネットワークが前記緊急呼専用PDUセッション機能をサポートしているか否かを検知し、
前記緊急呼専用PDUセッション機能をサポートしていない場合、
同一PLMN内の第2のコアネットワークが音声サービス機能、及び緊急呼専用PDUセッション機能をサポートしている場合、
同一PLMN内の第2のコアネットワークに対して、前記緊急呼専用PDUセッションを使いIMS緊急呼接続信号を送信する、ことを特徴とする請求項8記載のユーザ装置。
【請求項１１】
前記送受信部は、前記P-CSCFに対して、前記ユーザ装置が緊急通報と認識できない場合のIMS緊急呼接続信号を送信し、
前記P-CSCFから緊急呼接続であることを示す拒絶又はリダイレクトを示す情報を受信した場合、
接続する第1のコアネットワークが前記緊急呼専用PDUセッション機能をサポートしているか否かを検知し、
前記緊急呼専用PDUセッション機能をサポートしていない場合、
同一PLMN内の第2のコアネットワークが音声サービス機能をサポートしていない場合は、
CS(Circuit Switching; 回線交換)緊急呼接続を行う、ことを特徴とする請求項8記載のユーザ装置。
【請求項１２】
前記送受信部は、前記P-CSCFに対して、前記ユーザ装置が緊急通報と認識できない場合のIMS緊急呼接続信号を送信し、
前記P-CSCFから緊急呼接続であることを示す拒絶又はリダイレクトを示す情報を受信した場合、
接続する第1のコアネットワークが前記緊急呼専用PDUセッション機能をサポートしているか否かを検知し、
前記緊急呼専用PDUセッション機能をサポートしていない場合、
同一PLMN内の第2のコアネットワークが前記音声サービス機能をサポートしているが、前記緊急呼専用PDUセッション機能をサポートしていない場合は、
前記ユーザ装置は、在圏網に関する情報を検知し、ホーム網に在圏している場合は、
同一PLMN内の第2のコアネットワークを選択せず接続する第1のコアネットワークに対して、通常PDUセッションを使いIMS緊急呼接続信号を送信する、ことを特徴とする請求項8記載のユーザ装置。
【請求項１３】
前記送受信部は、前記P-CSCFに対して、前記ユーザ装置が緊急通報と認識できない場合のIMS緊急呼接続信号を送信し、
前記P-CSCFから緊急呼接続であることを示す拒絶又はリダイレクトを示す情報を受信した場合、
接続する第1のコアネットワークが緊急呼専用PDUセッション機能をサポートしているか否かを検知し、
前記緊急呼専用PDUセッション機能をサポートしていない場合、
同一PLMN内の第2のコアネットワークが前記音声サービス機能をサポートしているが、前記緊急呼専用PDUセッション機能をサポートしていない場合は、
前記ユーザ装置は、在圏網に関する情報を検知し、他網に在圏している場合は、
CS(Circuit Switching; 回線交換)緊急呼接続を実行する、ことを特徴とする請求項8記載のユーザ装置。
【請求項１４】
前記送受信部は、前記P-CSCFに対して、前記ユーザ装置が緊急通報と認識できない場合のIMS緊急呼接続信号を送信し、
前記P-CSCFから、同一PLMN内の前記音声サービス機能及び、前記緊急呼専用PDUセッション機能をサポートしている第2のコアネットワークに対してIMS緊急呼接続を促す情報を受信する、ことを特徴とする請求項1に記載のユーザ装置。
【請求項１５】
前記送受信部は、前記P-CSCFに対して、前記ユーザ装置が緊急通報と認識できない場合のIMS緊急呼接続信号を送信し、
前記P-CSCFから緊急呼接続であることを示す拒絶又はリダイレクトを示す情報を受信した場合、
前記P-CSCFから受信した同一PLMN内の第2のコアネットワークへの接続を促す情報に基づいて、
同一PLMN内の第2のコアネットワークに対して、前記緊急呼専用PDUセッションを使いIMS緊急呼接続信号を送信する、ことを特徴とする請求項1、又は、請求項13に記載のユーザ装置。
【請求項１６】
前記送受信部は、前記P-CSCFに対して、前記ユーザ装置が緊急通報と認識できない場合のIMS緊急呼接続信号を送信し、
前記P-CSCFから緊急呼接続であることを示す拒絶又はリダイレクトを示す情報を受信した場合、
前記P-CSCFから、同一PLMN内の第2のコアネットワークへの接続を促す情報が含まれていない場合、
前記ユーザ装置は、在圏網に関する情報を検知し、ホーム網に在圏している場合は、
同一PLMN内の第2のコアネットワークを選択せず、接続する第1のコアネットワークに対して、通常PDUセッションを使いIMS緊急呼接続信号を送信する、ことを特徴とする請求項1に記載のユーザ装置。
【請求項１７】
前記送受信部は、前記P-CSCFに対して、前記ユーザ装置が緊急通報と認識できない場合のIMS緊急呼接続信号を送信し、
前記P-CSCFから緊急呼接続であることを示す拒絶又はリダイレクトを示す情報を受信した場合、
前記P-CSCFから、同一PLMN内の第2のコアネットワークへの接続を促す情報が含まれていない場合、
前記ユーザ装置は、在圏網に関する情報を検知し、他網に在圏している場合は、
CS(Circuit Switching; 回線交換)緊急呼接続を行う、ことを特徴とする請求項1に記載のユーザ装置。
【請求項１８】
ユーザ装置であって、
前記ユーザ装置の登録手続きにおいて、
第1の識別情報は、前記ユーザ装置が登録を試みる第1のコアネットワークが、音声サービス機能、及び/又は、緊急呼の為のベアラ又はPDUセッション機能のサポートを有している事を優先するプリファレンス(Preference; Prf)を示す情報であり、
第12の識別情報は、同一PLMN内の第2のコアネットワークが前記音声サービス機能、及び、前記緊急呼の為のベアラ又は前記PDUセッション機能を提供しているか否かを示す識別情報であり、
前記第1の識別情報含む登録要求メッセージをAMF(Access and Mobility Management Function)に送信し、
前記第12の識別情報含む登録完了メッセージを前記AMFから受信する送受信部を有する、ことを特徴とするユーザ装置。
【請求項１９】
ユーザ装置であって、
前記ユーザ装置が緊急通報と認識できない場合のIMS緊急呼接続手続きにおいて、
第23の識別情報は、音声サービス機能、及び、緊急呼の為のベアラ又はPDUセッション機能をサポートしている同一PLMN内の第2のコアネットワークを示し、前記ユーザ装置に当該コアネットワークを介した緊急呼接続を促す識別情報であり、
前記第23の識別情報含む拒絶又はリダイレクトメッセージをP-CSCF(Proxy Call Session Control Function; Proxy-CSCF)から受信する送受信部を有する、ことを特徴とするユーザ装置。
【請求項２０】
AMF(Access and Mobility Management Function)であって、
ユーザ装置の登録手続きにおいて、
第1の識別情報は、前記ユーザ装置が登録を試みる第1のコアネットワークが、音声サービス機能、及び/又は、緊急呼の為のベアラ又はPDUセッション機能のサポートを有している事を優先するプリファレンス(Preference; Prf)を示す情報であり、
第12の識別情報は、同一PLMN内の第2のコアネットワークが前記音声サービス機能、及び、緊急呼の為のベアラ又は前記PDUセッション機能を提供しているか否かを示す識別情報であり、
前記第1の識別情報含む登録要求メッセージをユーザ装置から受信し、
前記第12の識別情報含む登録完了メッセージを前記ユーザ装置に送信する送受信部を有する、ことを特徴とするAMF。
【請求項２１】
コアネットワーク装置であって、
ユーザ装置の登録手続きにおいて、
第1の識別情報は、前記ユーザ装置が登録を試みる第1のコアネットワークが、音声サービス機能、及び/又は、緊急呼の為のベアラ又はPDUセッション機能のサポートを有している事を優先するプリファレンス(Preference; Prf)を示す情報であり、
第12の識別情報は、同一PLMN内の第2のコアネットワークが前記音声サービス機能、及び、前記緊急呼の為のベアラ又は前記PDUセッション機能を提供しているか否かを示す識別情報であり、
前記第1の識別情報含む登録要求メッセージをユーザ装置から受信し、
前記第12の識別情報含む登録完了メッセージを前記ユーザ装置に送信する送受信部を有する、ことを特徴とするコアネットワーク装置。
【請求項２２】
P-CSCF(Proxy Call Session Control Function; Proxy-CSCF)あって、
ユーザ装置が緊急通報と認識できない場合のIMS緊急呼接続手続きにおいて、
第23の識別情報は、音声サービス機能、及び、緊急呼の為のベアラ又はPDUセッション機能をサポートしている同一PLMN内の第2のコアネットワークを示し、前記ユーザ装置に当該コアネットワークを介した緊急呼接続を促す識別情報であり、
前記第23の識別情報含む拒絶又はリダイレクトメッセージを前記ユーザ装置に送信する送受信部を有することを特徴とするP-CSCF。
【請求項２３】
ユーザ装置の通信制御方法であって、
ユーザ装置の登録手続きにおいて、
第1の識別情報は、前記ユーザ装置が登録を試みる第1のコアネットワークが、音声サービス機能、及び/又は、緊急呼の為のベアラ又はPDUセッション機能のサポートを有している事を優先するプリファレンス(Preference; Prf)を示す情報であり、
第12の識別情報は、同一PLMN内の第2のコアネットワークが前記音声サービス機能、及び、前記緊急呼の為のベアラ又は前記PDUセッション機能を提供しているか否かを示す識別情報であり、
前記第1の識別情報含む登録要求メッセージをAMF(Access and Mobility Management Function)に送信するステップと、
前記第12の識別情報含む登録完了メッセージを前記AMFから受信するステップとを有することを特徴とするユーザ装置の通信制御方法。
【請求項２４】
ユーザ装置の通信制御方法であって、
前記ユーザ装置が緊急通報と認識できない場合のIMS緊急呼接続手続きにおいて、
第23の識別情報は、音声サービス機能、及び、緊急呼の為のベアラ又はPDUセッション機能をサポートしている同一PLMN内の第2のコアネットワークを示し、前記ユーザ装置に当該コアネットワークを介した緊急呼接続を促す識別情報であり、
前記第23の識別情報含む拒絶又はリダイレクトメッセージをP-CSCF(Proxy Call Session Control Function; Proxy-CSCF)から受信するステップを有することを特徴とするユーザ装置の通信制御方法。
【請求項２５】
AMF(Access and Mobility Management Function)の通信制御方法であって、
ユーザ装置の登録手続きにおいて、
第1の識別情報は、前記ユーザ装置が登録を試みる第1のコアネットワークが、音声サービス機能、及び/又は、緊急呼の為のベアラ又はPDUセッション機能のサポートを有している事を優先するプリファレンス(Preference; Prf)を示す情報であり、
第12の識別情報は、同一PLMN内の第2のコアネットワークが前記音声サービス機能、及び、前記緊急呼の為のベアラ又は前記PDUセッション機能を提供しているか否かを示す識別情報であり、
前記第1の識別情報含む登録要求メッセージをユーザ装置から受信するステップと、
前記第12の識別情報含む登録完了メッセージを前記ユーザ装置に送信するステップとを有することを特徴とするAMFの通信制御方法。
【請求項２６】
コアネットワーク装置の通信制御方法であって、
ユーザ装置の登録手続きにおいて、
第1の識別情報は、前記ユーザ装置が登録を試みる第1のコアネットワークが、音声サービス機能、及び/又は、緊急呼の為のベアラ又はPDUセッション機能のサポートを有している事を優先するプリファレンス(Preference; Prf)を示す情報であり、
第12の識別情報は、同一PLMN内の第2のコアネットワークが前記音声サービス機能、及び、前記緊急呼の為のベアラ又は前記PDUセッション機能を提供しているか否かを示す識別情報であり、
前記第1の識別情報含む登録要求メッセージをユーザ装置から受信するステップと、
前記第12の識別情報含む登録完了メッセージを前記ユーザ装置に送信するステップとを有することを特徴とするコアネットワークの通信制御方法。
【請求項２７】
P-CSCF(Proxy Call Session Control Function; Proxy-CSCF)の通信制御方法であって、
ユーザ装置が緊急通報と認識できない場合のIMS緊急呼接続手続きにおいて、
第23の識別情報は、音声サービス機能、及び、緊急呼の為のベアラ又はPDUセッション機能をサポートしている同一PLMN内の第2のコアネットワークを示し、前記ユーザ装置に当該コアネットワークを介した緊急呼接続を促す識別情報であり、
前記第23の識別情報含む拒絶又はリダイレクトメッセージを前記ユーザ装置に送信するステップを有することを特徴とするP-CSCFの通信制御方法。
【発明の詳細な説明】
【技術分野】
【０００１】
本発明は、ユーザ装置、ＡＭＦ、コアネットワーク装置、Ｐ−ＣＳＣＦ、及び通信制御方法に関する。
【背景技術】
【０００２】
近年の移動通信システムの標準化活動を行う3GPP(3rd Generation Partnership Project)は、LTE(Long Term Evolution)のシステムアーキテクチャであるSAE(System Architecture Evolution)の検討を行っている。3GPPは、オールIP(Internet Protocol)化を実現する通信システムとしてEPS(Evolved Packet System)の仕様化を行っている。尚、EPSを構成するコアネットワークはEPC(Evolved Packet Core)と呼ばれる。
【０００３】
また、オールIPネットワーク上で緊急通報サービスを提供するには、ＩＭＳ(IP Multimedia Subsystem)と呼ばれるシステムをサポートする必要がある。
【０００４】
また、近年3GPPでは、次世代移動通信システムである5G(5th Generation)移動通信システムの次世代通信技術やシステムアーキテクチャの検討も行っており、特に、5G移動通信システムを実現するシステムとして、5GS(5G System)の仕様化を行っている(非特許文献1、及び非特許文献2参照)。5GSでは、多種多様な端末をセルラーネットワークに接続する為の技術課題を抽出し、解決策を仕様化している。
【０００５】
例えば、緊急通報サービスをサポートする為のコアネットワーク、及びＩＭＳの最適化等の仕様検討が行われている(非特許文献1、 非特許文献2、及び非特許文献5参照)。
【先行技術文献】
【非特許文献】
【０００６】
【非特許文献１】3GPP TS 23.501 v1.0.0; 3rd Generation Partnership Project; Technical Specification Group Services and System Aspects; System Architecture for the 5G System; Stage 2 (Release 15)
【非特許文献２】3GPP TS 23.502 v0.4.0; 3rd Generation Partnership Project; Technical Specification Group Services and System Aspects; Procedures for the 5G System; Stage 2 (Release 15)
【非特許文献３】3GPP TS 24.301 v14.3.0; 3rd Generation Partnership Project; Technical Specification Group Core Network and Terminals; Non-Access-Stratum (NAS) protocol for Evolved Packet System (EPS); Stage 3 (Release 14)
【非特許文献４】3GPP TS 23.401 v14.4.0; 3rd Generation Partnership Project; Technical Specification Group Services and System Aspects; General Packet Radio Service (GPRS) enhancements for Evolved Universal Terrestrial Radio Access Network (E-UTRAN) access (Release 14)
【非特許文献５】3GPP TS 24.229 v14.3.1; 3rd Generation Partnership Project; Technical Specification Group Core Network and Terminals; IP multimedia call control protocol based on Session Initiation Protocol (SIP) and Session Description Protocol (SDP); Stage 3 (Release 14)
【非特許文献６】3GPP TS 23.228 v14.4.0; 3rd Generation Partnership Project; Technical Specification Group Services and System Aspects; IP Multimedia Subsystem (IMS); Stage 2 (Release 14)
【発明の概要】
【発明が解決しようとする課題】
【０００７】
5GSでは、移動通信音声呼サービスをサポートする為に従来のIMSを5GSに適用する検討が行われている。
【０００８】
より具体的には、端末とコアネットワーク装置間の緊急通報サービスにおける各種能力交換や端末とIMS装置間の緊急通報サービスにおける各種能力交換を行うことで、端末やネットワーク装置に適した移動通信緊急呼サービスを提供するための仕様化検討が行われている。
【０００９】
しかし、このようなコアネットワーク装置間の緊急通報サービスにおける各種能力交換や端末とIMS装置間の緊急通報サービスにおける各種能力交換を行い、緊急通報サービスにおいてもっとも適したネットワークへの接続を実現するための手段等が明らかになっていない。
【００１０】
本発明は、このような事情を鑑みてなされたもので、その目的は、コアネットワーク装置間の緊急通報サービスにおける各種能力交換や端末とIMS装置間の緊急通報サービスにおける各種能力交換を行い、緊急通報サービスにおいてもっとも適したネットワークへの接続を実現するための手段等を提供することである。
【課題を解決するための手段】
【００１１】
本発明のユーザ装置は、接続する第1のコアネットワークが音声サービス機能のみをサポートしており、緊急呼専用PDU(Packet Data Unit)セッション機能をサポートしていない場合に、P-CSCF(Proxy Call Session Control Function; Proxy-CSCF)に対して、前記ユーザ装置が緊急通報と認識できない場合のIMS緊急呼接続信号を送信する送受信部と、前記P-CSCFから緊急呼接続であることを示す拒絶又はリダイレクトを示す情報を受信した場合、前記第1のコアネットワークを介して前記P-CSCFに対して再度IMS緊急呼接続信号を送信するか、又は同一PLMN(Public Land Mobile Network)内の第2のコアネットワークを介して前記P-CSCFに対して再度IMS緊急呼接続信号を送信するかを判断する制御部を有する、ことを特徴とする。
【００１２】
本発明のユーザ装置は、前記ユーザ装置の登録手続きにおいて、第1の識別情報は、前記ユーザ装置が登録を試みる第1のコアネットワークが、音声サービス機能、及び/又は、緊急呼の為のベアラ又はPDUセッション機能のサポートを有している事を優先するプリファレンス(Preference; Prf)を示す情報であり、第12の識別情報は、同一PLMN内の第2のコアネットワークが前記音声サービス機能、及び、前記緊急呼の為のベアラ又は前記PDUセッション機能を提供しているか否かを示す識別情報であり、前記第1の識別情報含む登録要求メッセージをAMF(Access and Mobility Management Function)に送信し、前記第12の識別情報含む登録完了メッセージを前記AMFから受信する送受信部を有する、ことを特徴とする。
【００１３】
また、本発明のユーザ装置は、前記ユーザ装置が緊急通報と認識できない場合のIMS緊急呼接続手続きにおいて、第23の識別情報は、音声サービス機能、及び、緊急呼の為のベアラ又はPDUセッション機能をサポートしている同一PLMN内の第2のコアネットワークを示し、前記ユーザ装置に当該コアネットワークを介した緊急呼接続を促す識別情報であり、前記第23の識別情報含む拒絶又はリダイレクトメッセージをP-CSCF(Proxy Call Session Control Function; Proxy-CSCF)から受信する送受信部を有する、ことを特徴とする。
【００１４】
本発明のAMF(Access and Mobility Management Function)は、ユーザ装置の登録手続きにおいて、第1の識別情報は、前記ユーザ装置が登録を試みる第1のコアネットワークが、音声サービス機能、及び/又は、緊急呼の為のベアラ又はPDUセッション機能のサポートを有している事を優先するプリファレンス(Preference; Prf)を示す情報であり、第12の識別情報は、同一PLMN内の第2のコアネットワークが前記音声サービス機能、及び、緊急呼の為のベアラ又は前記PDUセッション機能を提供しているか否かを示す識別情報であり、前記第1の識別情報含む登録要求メッセージをユーザ装置から受信し、前記第12の識別情報含む登録完了メッセージを前記ユーザ装置に送信する送受信部を有する、ことを特徴とする。
【００１５】
本発明のコアネットワーク装置は、ユーザ装置の登録手続きにおいて、第1の識別情報は、前記ユーザ装置が登録を試みる第1のコアネットワークが、音声サービス機能、及び/又は、緊急呼の為のベアラ又はPDUセッション機能のサポートを有している事を優先するプリファレンス(Preference; Prf)を示す情報であり、第12の識別情報は、同一PLMN内の第2のコアネットワークが前記音声サービス機能、及び、前記緊急呼の為のベアラ又は前記PDUセッション機能を提供しているか否かを示す識別情報であり、前記第1の識別情報含む登録要求メッセージをユーザ装置から受信し、前記第12の識別情報含む登録完了メッセージを前記ユーザ装置に送信する送受信部を有する、ことを特徴とする。
【００１６】
本発明のP-CSCF(Proxy Call Session Control Function; Proxy-CSCF)は、ユーザ装置が緊急通報と認識できない場合のIMS緊急呼接続手続きにおいて、第23の識別情報は、音声サービス機能、及び、緊急呼の為のベアラ又はPDUセッション機能をサポートしている同一PLMN内の第2のコアネットワークを示し、前記ユーザ装置に当該コアネットワークを介した緊急呼接続を促す識別情報であり、前記第23の識別情報含む拒絶又はリダイレクトメッセージを前記ユーザ装置に送信する送受信部を有することを特徴とする。
【００１７】
本発明のユーザ装置の通信制御方法は、ユーザ装置の登録手続きにおいて、第1の識別情報は、前記ユーザ装置が登録を試みる第1のコアネットワークが、音声サービス機能、及び/又は、緊急呼の為のベアラ又はPDUセッション機能のサポートを有している事を優先するプリファレンス(Preference; Prf)を示す情報であり、第12の識別情報は、同一PLMN内の第2のコアネットワークが前記音声サービス機能、及び、前記緊急呼の為のベアラ又は前記PDUセッション機能を提供しているか否かを示す識別情報であり、前記第1の識別情報含む登録要求メッセージをAMF(Access and Mobility Management Function)に送信するステップと、前記第12の識別情報含む登録完了メッセージを前記AMFから受信するステップとを有することを特徴とする。
【００１８】
本発明のユーザ装置の通信制御方法は、前記ユーザ装置が緊急通報と認識できない場合のIMS緊急呼接続手続きにおいて、第23の識別情報は、音声サービス機能、及び、緊急呼の為のベアラ又はPDUセッション機能をサポートしている同一PLMN内の第2のコアネットワークを示し、前記ユーザ装置に当該コアネットワークを介した緊急呼接続を促す識別情報であり、前記第23の識別情報含む拒絶又はリダイレクトメッセージをP-CSCF(Proxy Call Session Control Function; Proxy-CSCF)から受信するステップを有することを特徴とする。
【００１９】
本発明のAMF(Access and Mobility Management Function)の通信制御方法は、ユーザ装置の登録手続きにおいて、第1の識別情報は、前記ユーザ装置が登録を試みる第1のコアネットワークが、音声サービス機能、及び/又は、緊急呼の為のベアラ又はPDUセッション機能のサポートを有している事を優先するプリファレンス(Preference; Prf)を示す情報であり、第12の識別情報は、同一PLMN内の第2のコアネットワークが前記音声サービス機能、及び、前記緊急呼の為のベアラ又は前記PDUセッション機能を提供しているか否かを示す識別情報であり、前記第1の識別情報含む登録要求メッセージをユーザ装置から受信するステップと、前記第12の識別情報含む登録完了メッセージを前記ユーザ装置に送信するステップとを有することを特徴とする。
【００２０】
本発明のコアネットワーク装置の通信制御方法は、ユーザ装置の登録手続きにおいて、第1の識別情報は、前記ユーザ装置が登録を試みる第1のコアネットワークが、音声サービス機能、及び/又は、緊急呼の為のベアラ又はPDUセッション機能のサポートを有している事を優先するプリファレンス(Preference; Prf)を示す情報であり、第12の識別情報は、同一PLMN内の第2のコアネットワークが前記音声サービス機能、及び、前記緊急呼の為のベアラ又は前記PDUセッション機能を提供しているか否かを示す識別情報であり、前記第1の識別情報含む登録要求メッセージをユーザ装置から受信するステップと、前記第12の識別情報含む登録完了メッセージを前記ユーザ装置に送信するステップとを有することを特徴とする。
【００２１】
本発明のP-CSCF(Proxy Call Session Control Function; Proxy-CSCF)の通信制御方法は、ユーザ装置が緊急通報と認識できない場合のIMS緊急呼接続手続きにおいて、第23の識別情報は、音声サービス機能、及び、緊急呼の為のベアラ又はPDUセッション機能をサポートしている同一PLMN内の第2のコアネットワークを示し、前記ユーザ装置に当該コアネットワークを介した緊急呼接続を促す識別情報であり、前記第23の識別情報含む拒絶又はリダイレクトメッセージを前記ユーザ装置に送信するステップを有することを特徴とする。
【発明の効果】
【００２２】
本発明によれば、端末が緊急通報サービスにおいて、もっとも適したネットワークに接続することができる。また、5GS、及びIMSは、ネットワーク主導で緊急通報にもっとも適したネットワークに接続するように端末挙動を制御することができ、より安心安全な移動通信サービスを提供することができる。
【図面の簡単な説明】
【００２３】
【図１】移動通信システムの概略を示す図である。
【図２】移動通信システム内のアクセスネットワークの構成等の1例を示す図である。
【図３】移動通信システム内のコアネットワーク及びアクセスネットワークの構成等の1例を示す図である。
【図４】通常音声呼、及び緊急呼接続サービスのための緊急台、IMS、及びコアネットワークの接続概略を示す図である。
【図５】UEの装置構成を示す図である。
【図６】eNB/NR node/WAGの装置構成を示す図である。
【図７】MME/AMFの装置構成を示す図である。
【図８】SMF/PGW/UPFの装置構成を示す図である。
【図９】CSCFの装置構成を示す図である。
【図１０】初期手続きを示す図である。
【図１１】登録手続きを示す図である。
【図１２】IMS登録手続きを示す図である。
【図１３】UEが緊急通報と認識できない場合のIMS緊急呼接続手続き、及びIMS緊急呼再接続手続きを示す図である。
【図１４】UEからの緊急通報と認識できない場合のIMS緊急呼接続要求に対し、IMSからエラーレスポンスを通知する手続きを示す図である。
【図１５】UEからのIMS緊急呼の再接続手続きを示す図である。
【発明を実施するための形態】
【００２４】
以下、図面を参照して本発明を実施する為に最良の形態について説明する。尚、本実施形態では1例として、本発明を適用した場合の移動通信システムの実施形態について説明する。
【００２５】
[1.システム概要]
本実施形態における移動通信システムの概略について、図1、図2、図3、図4を用いて説明する。図2は、図1の移動通信システムのうち、アクセスネットワークの詳細を記載した図である。図3は、図1の移動通信システムにおけるアクセスネットワークとコアネットワークの構成の1例を記載した図である。図4は、図1の移動通信システムのうち、主にIPマルチメディアサブシステム(IMS; IP Multimedia Subsystem)とコアネットワークの接続構成の1例を記載した図である。図1に示すように、本実施形態における移動通信システム1は、ユーザ装置(端末装置、移動端末装置とも称する)UE(User Equipment)_A10、アクセスネットワーク(AN; Access Network)_A、アクセスネットワーク_B、コアネットワーク(CN; Core Network)_B190、コアネットワーク_A90、データネットワーク(DN; Data Network)_A5、パケットデータネットワーク(PDN； Packet Data Network)_B6、及びIMS_A7により構成されている。尚、簡単化のため、コアネットワーク_A、コアネットワークB又はこれらの組み合わせをコアネットワークとも称することがあり、アクセスネットワーク_A、アクセスネットワーク_B又はこれらの組み合わせをアクセスネットワーク又は無線アクセスネットワークとも称することがあり、DN_A5、PDN_A6又はこれらの組み合わせをDNとも称することがある。
【００２６】
ここで、UE_A10は、3GPPアクセス(3GPP access又は3GPP access networkとも称する)及び/又はnon-3GPPアクセス(non-3GPP access又はnon-3GPP access networkとも称する)を介して、ネットワークサービスに対して接続可能な装置であってよい。また、UE_A10は、UICC(Universal Integrated Circuit Card)やeUICC(Embedded UICC)を備えてもよい。また、UE_A10は無線接続可能な端末装置であってもよく、ME(Mobile Equipment)、MS(Mobile Station)、又はCIoT(Cellular Internet of Things)端末(CIoT UE)等であってもよい。
【００２７】
また、UE_A10は、アクセスネットワーク及び/又はコアネットワークと接続することができる。また、UE_A10は、アクセスネットワーク及び/又はコアネットワークを介して、DN_A5及び/又はPDN_A6と接続することができる。UE_A10は、DN_A5及び/又はPDN_A6との間で、PDU(Protocol Data Unit又はPacket Data Unit)セッション及び/又は、PDNコネクション(PDN接続; Packet Data Network(PDN) Connection)を用いて、ユーザデータを送受信(通信)する。さらに、ユーザデータの通信は、IP(Internet Protocol)通信に限らず、non-IP通信であってもよい。
【００２８】
ここで、IP通信とは、IPを用いたデータの通信のことであり、IPヘッダが付与されたIPパケットの送受信によって実現されるデータ通信のことである。尚、IPパケットを構成するペイロード部にはUE_A10が送受信するユーザデータが含まれてよい。また、non-IP通信とは、IPを用いないデータの通信のことであり、IPヘッダが付与されていないデータの送受信によって実現されるデータ通信のことである。例えば、non-IP通信は、IPヘッダが付与されていないアプリケーションデータの送受信によって実現されるデータ通信でもよいし、MAC(Media Access Control)ヘッダやEthernet(登録商標)フレームヘッダ等の別のヘッダを付与してUE_A10が送受信するユーザデータを送受信してもよい。
【００２９】
また、PDUセッション又はPDN接続とは、PDU接続サービスを提供する為に、UE_A10とDN_A5及び/又はPDN_A6との間で確立される接続性である。より具体的には、PDUセッション又はPDN接続は、UE_A10と外部ゲートウェイとの間で確立する接続性でよい。ここで、外部ゲートウェイは、UPFやPGW(Packet Data Network Gateway)やSCEF(Service Capability Exposure Function)等であってもよい。また、PDUセッション又はPDN接続は、UE_A10と、コアネットワーク及び/又はDNとの間でユーザデータを送受信する為に確立される通信路でもよく、PDUを送受信する為の通信路でもよい。さらに、PDUセッション又はPDN接続は、UE_A10と、コアネットワーク及び/又はDNとの間で確立されるセッションでもよく、移動通信システム1内の各装置間の1以上のフロー又はベアラ等の転送路で構成される論理的な通信路でもよい。より具体的には、PDUセッション又はPDN接続は、UE_A10が、コアネットワーク及び/又は外部ゲートウェイとの間に確立するコネクションでもよく、UE_A10とUPF_A235又はPGW_A30との間に確立するコネクションでもよい。尚、PDN接続は、eNB(evolved Node B)_A45及び/又はSGW(Serving Gateway)_A35を介したUE_A10とPGW_A30との間の接続及び/又はコネクションでもよいし、eNB_A45及び/又はMME(Mobility Management Entity)_A40を介したUE_A10とSCEFとの間の接続性及び/又はコネクションでもよい。さらに、PDUセッションは、NR node_A122を介したUE_A10とUPF_A235との間の接続性及び/又はコネクションでもよい。さらに、PDNコネクションはPDNコネクションIDで識別されてよく、PDUセッションはPDUセッションIDで識別されてもよい。さらに、PDNコネクション及びPDUセッションは、EPSベアラIDで識別されてもよい。尚、簡単化のため、PDUセッション及び/又はPDNコネクションをPDUセッションと称することがある。
【００３０】
尚、UE_A10は、DN_A5及び/又はPDN_A6に配置するアプリケーションサーバー等の装置と、PDUセッション又はPDN接続を用いてユーザデータの送受信を実行することができる。言い換えると、PDUセッション又はPDN接続は、UE_A10とDN_A5及び/又はPDN_A6に配置するアプリケーションサーバー等の装置との間で送受信されるユーザデータを転送することができる。さらに、各装置(UE_A10、アクセスネットワーク内の装置、及び/又はコアネットワーク内の装置)は、PDUセッション又はPDN接続に対して、1以上の識別情報を対応づけて管理してもよい。尚、これらの識別情報には、APN(Access Point Name)、TFT(Traffic Flow Template)、セッションタイプ、アプリケーション識別情報、DN_A5及び/又はPDN_A6の識別情報、NSI(Network Slice Instance)識別情報、及びDCN(Dedicated Core Network)識別情報、及びアクセスネットワーク識別情報のうち、少なくとも1つが含まれてもよいし、その他の情報がさらに含まれてもよい。さらに、PDUセッションを複数確立する場合には、PDUセッション又はPDN接続に対応づけられる各識別情報は、同じ内容でもよいし、異なる内容でもよい。さらに、NSI識別情報は、NSIを識別する情報であり、以下NSI ID又はSlice Instance IDであってもよい。
【００３１】
また、アクセスネットワーク_A及び/又はアクセスネットワーク_Bとしては、図2に示すように、E-UTRAN(Evolved Universal Terrestrial Radio Access Network)_A80、UTRAN(Universal Terrestrial Radio Access Network)_A20、GERAN(GSM(登録商標) EDGE Radio Access Network)_A25、WLAN ANb75、WLAN ANa70、5G-RAN_A120、WLAN ANc125のいずれであってもよい。尚、E-UTRAN_A80及び/又は5G-RAN_A120及び/又はUTRAN_A20及び/又はGERAN_A25は3GPPアクセスネットワークとも呼び、WLAN ANb75及び/又はWLAN Ana70及び/又はWLAN ANc125はnon-3GPPアクセスネットワークと呼んでもよい。各無線アクセスネットワークには、UE_A10が実際に接続する装置(例えば、基地局装置やアクセスポイント)等が含まれている。
【００３２】
例えば、E-UTRAN_A80は、LTEのアクセスネットワークであり、1以上のeNB_A45を含んで構成される。eNB_A45はE-UTRA(Evolved Universal Terrestrial Radio Access)でUE_A10が接続する無線基地局である。また、E-UTRAN_A80内に複数のeNBがある場合、各eNBは互いに接続してよい。
【００３３】
また、UTRAN_A20は、3Gのアクセスネットワークであり、RNC(Radio Network Controller)_A24とNB(Node B)_A22とを含んで構成される。NB_A22は、UTRA(Universal Terrestrial Radio Access)でUE_A10が接続する無線基地局であり、UTRAN_A20には1又は複数の無線基地局が含まれて構成されてよい。またRNC_A24は、コアネットワーク_A90とNB_A22とを接続する制御部であり、UTRAN_A20には1又は複数のRNCが含まれて構成されてよい。また、RNC_A24は1又は複数のNB_A22と接続されてよい。さらに、RNC_A24は、GERAN_A25に含まれる無線基地局(BSS(Base Station Subsystem)_A26)と接続されてよい。
【００３４】
また、GERAN_A25は、2Gのアクセスネットワークであり、BSS_A26を含んで構成される。BSS_A26は、GERA(GSM(登録商標)/EDGE Radio Access)でUE_A10が接続する無線基地局であり、GERAN_A25は1又は複数のBSS_A26で構成されてよい。また、複数のBSS_A26は互いに接続してよい。またBSS_A26はRNC_A24と接続してもよい。
【００３５】
また、5G-RAN_A120は、5Gのアクセスネットワークであり、1以上のNR node(New Radio Access Technology node)_A122を含んで構成される。NR node_A122は5Gの無線アクセス(5G Radio Access)でUE_A10が接続する無線基地局である。また、5G-RAN_A120内に複数のNR node_A122がある場合、各NR node_A122は互いに接続してよい。
【００３６】
尚、5G-RAN_A120は、E-UTRA及び/又は5G Radio Accessで構成されるアクセスネットワークであってもよい。言い換えると、5G-RAN_A120には、eNB_A45が含まれてもよいし、NR node_A122が含まれてもよいし、その両方が含まれてもよい。この場合、eNB_A45とNR node_A122とは同様の装置であってもよい。従って、NR node_A122は、eNB_A45と置き換えことができる。
【００３７】
また、WLAN ANa70は、無線LANアクセスネットワークであり、WLAN AP(Wireless Local Area Network Access Point)a72とTWAG(Trusted WLAN Access Gateway)_A74とが含まれて構成される。WLAN APa72は、コアネットワーク_A90を運営する事業者に対して信頼性のあるWLANアクセスシステムでUE_A10が接続する無線基地局であり、WLAN ANa70には1又は複数の無線基地局が含まれて構成されてよい。TWAG_A74は、コアネットワーク_A90とWLAN ANa70のゲートウェイである。また、WLAN APa72とTWAG_A74とは、単一の装置で構成されてもよい。コアネットワーク_A90を運営する事業者とWLAN ANa70を運営する事業者が異なる場合でも、事業者間の契約や規約によりこのような構成での実現が可能となる。
【００３８】
また、WLAN ANb75は、無線LANアクセスネットワークであり、WLAN APb76を含んで構成される。WLAN APb76は、コアネットワーク_A90を運営する事業者に対して信頼関係が結ばれていない場合に、WLANアクセスシステムでUE_A10が接続する無線基地局であり、WLAN ANb75には1又は複数の無線基地局が含まれて構成されてよい。このように、WLAN ANb75は、コアネットワーク_A90に含まれる装置であるePDG(enhanced Packet Data Gateway)をゲートウェイとしてコアネットワーク_A90に接続される。ePDGは安全性を確保する為のセキュリティー機能を持つ。
【００３９】
また、WLAN ANc125は、無線LANアクセスネットワークであり、1以上のWAG(WLAN Access Gateway)_A126が含まれて構成される。WAG_A126は、無線LANアクセスでUE_A10が接続する無線基地局である。さらに、WAG_A126はコアネットワーク_B190とWLAN ANc125のゲートウェイでもよい。また、WAG_A126は、無線基地局の機能部とゲートウェイの機能部とが別の装置として構成されてもよい。尚、WLAN ANc125は、WLAN ANa70及び/又はWLAN ANb75と同じ構成でもよいし、これらと異なる構成でもよい。
【００４０】
尚、本明細書において、UE_A10が各無線アクセスネットワークに接続されるということは、各無線アクセスネットワークに含まれる基地局装置やアクセスポイント等に接続されることであり、送受信されるデータや信号等も、基地局装置やアクセスポイントを経由するということである。尚、UE_A10とコアネットワーク_B190間で送受信する制御メッセージは、アクセスネットワークの種類によらず、同じ制御メッセージでもよい。従って、UE_A10とコアネットワーク_B190とがNR node_A122を介してメッセージを送受信するということは、UE_A10とコアネットワーク_B190とがeNB_A45、及び/又はWAG_A126を介してメッセージを送信することと同じであってよい。
【００４１】
さらに、アクセスネットワークは、UE_A10及び/又はコアネットワークと接続した無線ネットワークのことである。アクセスネットワークは、3GPPアクセスネットワークでもよく、non-3GPPアクセスネットワークでもよい。尚、3GPPアクセスネットワークは、UTRAN_A20及び/又はGERAN_A25及び/又はE-UTRAN_A80及び/又は5G-RAN(Radio Access Network)_A120でもよく、non-3GPPアクセスネットワークは、WLAN ANb75及び/又は、WLAN ANa72及び/又はWLAN ANc125でもよい。尚、UE_A10はコアネットワークに接続する為に、アクセスネットワークに接続してもよく、アクセスネットワークを介してコアネットワークに接続してもよい。
【００４２】
またDN_A5及び/又はPDN_A6は、UE_A10に通信サービスを提供するデータネットワーク(Data Network)又はパケットデータネットワーク(Packet Data Network)であり、パケットデータサービス網として構成されてもよいし、サービス毎に構成されてもよい。例えば、IMSサービスを提供するDN_A5及び/又はPDN_A6があってもよいし、DN_A5及び/又はPDN_A6がIMSサービスを提供するための装置を含んでいてもよい。言い換えると、DN_A5及び/又はPDN_A6がIMS_A7として構成されていてもよいし、DN_A5及び/又はPDN_A6がIMS_A7を含んでいてもよく、IMS_A7が、UE_A10に音声サービスのための通常呼接続サービス及び/又は緊急呼接続サービスを提供してもよい。さらに、DN_A5及び/又はPDN_A6は、接続された通信端末を含んでもよい。従って、DN_A5及び/又はPDN_A6と接続することは、DN_A5及び/又はPDN_A6に配置された通信端末やサーバ装置と接続することであってもよい。さらに、DN_A5及び/又はPDN_A6との間でユーザデータを送受信することは、DN_A5及び/又はPDN_A6に配置された通信端末やサーバ装置とユーザデータを送受信することであってもよい。また、DN_A5及び/又はPDN_A6は、図1ではコアネットワークの外にあるが、コアネットワーク内にあってもよい。
【００４３】
また、コアネットワーク_A90及び/又はコアネットワーク_B190は、1以上のコアネットワーク装置として構成されてもよい。ここで、コアネットワーク装置は、コアネットワーク_A90及び/又はコアネットワーク_B190に含まれる各装置の処理又は機能の一部又は全てを実行する装置であってよい。
【００４４】
さらに、コアネットワークは、アクセスネットワーク及び/又はDNと接続した移動体通信事業者(MNO; Mobile Network Operator)が運用するIP移動通信ネットワークのことである。コアネットワークは、移動通信システム1を運用、管理する移動通信事業者の為のコアネットワークでもよいし、MVNO(Mobile Virtual Network Operator)、MVNE(Mobile Virtual Network Enabler)等の仮想移動通信事業者や仮想移動体通信サービス提供者の為のコアネットワークでもよい。尚、コアネットワーク_A90は、EPS(Evolved Packet System)を構成するEPC(Evolved Packet Core)でもよく、コアネットワーク_B190は、5GSを構成する5GC(5G Core Network)でもよい。逆に、EPCはコアネットワーク_A90であってもよく、5GCはコアネットワーク＿B190であってもよい。さらに、コアネットワーク_B190は、5G通信サービスを提供するシステムのコアネットワークでもよい。尚、コアネットワーク_A90及び/又はコアネットワーク_B190は、これに限らず、モバイル通信サービスを提供するためのネットワークでもよい。
【００４５】
次に、コアネットワークについて説明する。本実施形態ではコアネットワーク_A90及びコアネットワーク_B190の構成例を説明する。尚、コアネットワークは、コアネットワーク_A90、コアネットワーク_B190、又はこれらの組み合わせでもよい。
【００４６】
コアネットワーク_A90には、HSS(Home Subscriber Server)_A50、AAA(Authentication Authorization Accounting)、PCRF(Policy and Charging Rules Function)、PGW_A30、ePDG、SGW_A35、MME(Mobility Management Entity)_A40、SGSN(Serving GPRS Support Node)、SCEFのうち、少なくとも1つが含まれてよい。そして、これらはNF(Network Function)として構成されてもよい。NFとは、ネットワーク内に構成される処理機能を指してもよい。また、コアネットワーク_A90は、複数の無線アクセスネットワーク(UTRAN_A20、GERAN_A25、E-UTRAN_A80、WLAN ANb75、WLAN ANa70)に接続することができる。
【００４７】
図3には、簡単化のために、これらのうち、HSS(HSS_A50)、PGW(PGW_A30)、SGW(SGW_A35)及びMME(MME_A40)についてのみ記載されているが、これら以外の装置及び/又はNFが含まれないということを意味するものではない。尚、簡単化のため、UE_A10はUEと、HSS_A50はHSSと、PGW_A30はPGWと、SGW_A35はSGWと、MME_A40はMMEと、DN_A5及び/又はPDN_A6はDNとも称する。
【００４８】
また、図3には、装置間を結ぶインターフェースとして、実線又は点線で記載されている。ここで、実線はU-Planeの為のインターフェースであり、点線はC-Planeの為のインターフェースである。
【００４９】
まず、コアネットワーク_A90内に含まれる各装置の簡単な説明をする。
【００５０】
PGW_A30は、DNとSGW_A35とePDGとWLAN ANa70とPCRFとAAAとに接続されており、DN(DN_A5及び/又はPDN_A6)とコアネットワーク_A90とのゲートウェイとしてユーザデータの転送を行う中継装置である。尚、PGW_A30は、IP通信及び/又はnon-IP通信の為のゲートウェイでもよい。さらに、PGW_A30は、IP通信を転送する機能を持っていてもよく、non-IP通信とIP通信を変換する機能を持っていてもよい。尚、こうしたゲートウェイはコアネットワーク_A90に複数配置されてよい。さらに複数配置されるゲートウェイは、コアネットワーク_A90と単一のDNを接続するゲートウェイでもよい。
【００５１】
尚、U-Plane(User Plane; UP)とは、ユーザデータを送受信する為の通信路でもよく、複数のベアラで構成されてもよい。さらに、C-Plane(Control Plane; CP)とは、制御メッセージを送受信する為の通信路でもよく、複数のベアラで構成されてもよい。
【００５２】
さらに、PGW_A30は、UPF (User plane function)とSMF(Session Management Function)と接続されてもよいし、U-Planeを介してUE_A10と接続されてもよい。さらに、PGW_A30は、UPF_A235及び/又はSMF_A230と一緒に構成されてもよい。
【００５３】
SGW_A35は、PGW_A30とMME_A40とE-UTRAN_A80とSGSNとUTRAN_A20とに接続されており、コアネットワーク_A90と3GPPのアクセスネットワーク(UTRAN_A20、GERAN_A25、E-UTRAN_A80)とのゲートウェイとしてユーザデータの転送を行う中継装置である。
【００５４】
MME_A40は、SGW_A35とアクセスネットワークとHSS_A50とSCEFとに接続されており、アクセスネットワークを経由してUE_A10のモビリティ管理を含む位置情報管理と、アクセス制御を行う制御装置である。さらに、MME_A40は、UE_A10が確立するセッションを管理するセッション管理装置としての機能を含んでもよい。また、コアネットワーク_A90には、こうした制御装置を複数配置してもよく、例えば、MME_A40とは異なる位置管理装置が構成されてもよい。MME_A40とは異なる位置管理装置は、MME_A40と同様に、SGW_A35とアクセスネットワークとSCEFとHSS_A50と接続されてよい。
【００５５】
また、コアネットワーク_A90内に複数のMMEが含まれている場合、MME同士が接続されてもよい。これにより、MME間で、UE_A10のコンテキストの送受信が行われてもよい。このように、MME_A40は、UE_A10とモビリティ管理やセッション管理に関連する制御情報を送受信する管理装置であり、言い換えるとコントロールプレーン(Control Plane；C-Plane；CP)の制御装置であればよい。
【００５６】
さらに、MME_A40はコアネットワーク_A90に含まれて構成される例を説明したが、MME_A40は1又は複数のコアネットワーク又はDCN又はNSIに構成される管理装置でもよいし、1又は複数のコアネットワーク又はDCN又はNSIに接続される管理装置でもよい。ここで、複数のDCN又はNSIは単一の通信事業者によって運用されてもよいし、それぞれ異なる通信事業者によって運用されてもよい。
【００５７】
また、MME_A40は、コアネットワーク_A90とアクセスネットワークとの間のゲートウェイとしてユーザデータの転送を行う中継装置でもよい。なお、MME_A40がゲートウェイとなって送受信されるユーザデータは、スモールデータでもよい。
【００５８】
さらに、MME_A40は、UE_A10等のモビリティ管理の役割を担うNFでもよく、1又は複数のNSIを管理するNFでもよい。また、MME_A40は、これらの1又は複数の役割を担うNFでよい。なお、NFは、コアネットワーク_A90内に1又は複数配置される装置でもよく、制御情報及び/又は制御メッセージの為のCPファンクション(以下、CPF(Control Plane Function)、又はControl Plane Network Functionとしても称される)でもよく、複数のネットワークスライス間で共有される共有CPファンクションでもよい。
【００５９】
ここで、NFとは、ネットワーク内に構成される処理機能である。つまり、NFは、MMEやSGWやPGWやCPFやAMFやSMFやUPF等の機能装置でもよいし、MM(Mobility Management)やSM(Session Management)等の機能や能力capability情報でもよい。また、NFは、単一の機能を実現する為の機能装置でもよいし、複数の機能を実現する為の機能装置でもよい。例えば、MM機能を実現する為のNFと、SM機能を実現する為のNFとが別々に存在してもよいし、MM機能とSM機能との両方の機能を実現する為のNFが存在してもよい。
【００６０】
HSS_A50は、MME_A40とAAAとSCEFとに接続されており、加入者情報の管理を行う管理ノードである。HSS_A50の加入者情報は、例えばMME_A40のアクセス制御の際に参照される。さらに、HSS_A50は、MME_A40とは異なる位置管理装置と接続されていてもよい。例えば、HSS_A50は、CPF_A140と接続されていてもよい。
【００６１】
さらに、HSS_A50は、UDM(Unified Data Management)_A245は、異なる装置及び/又はNFとして構成されていてもよいし、同じ装置及び/又はNFとして構成されていてもよい。
【００６２】
AAAは、PGW30とHSS_A50とPCRFとWLAN ANa70とに接続されており、WLAN ANa70を経由して接続するUE_A10のアクセス制御を行う。
【００６３】
PCRFは、PGW_A30とWLAN ANa75とAAAとDN_A5及び/又はPDN_A6とに接続されており、データ配送に対するQoS管理を行う。例えば、UE_A10とDN_A5及び/又はPDN_A6間の通信路のQoSの管理を行う。さらに、PCRFは、各装置がユーザデータを送受信する際に用いるPCC(Policy and Charging Control)ルール、及び/又はルーティングルールを作成、及び/又は管理する装置でもよい。
【００６４】
また、PCRFは、ポリシーを作成及び/又は管理するPCFでもよい。より詳細には、PCRFは、UPF_A235に接続されていてもよい。
【００６５】
ePDGは、PGW30とWLAN ANb75とに接続されており、コアネットワーク_A90とWLAN ANb75とのゲートウェイとしてユーザデータの配送を行う。
【００６６】
SGSNは、UTRAN_A20とGERAN_A25とSGW_A35とに接続されており、3G/2Gのアクセスネットワーク(UTRAN/GERAN)とLTEのアクセスネットワーク(E-UTRAN)との間の位置管理の為の制御装置である。さらに、SGSNは、PGW及びSGWの選択機能、UE_A10のタイムゾーンの管理機能、及びE-UTRANへのハンドオーバー時のMME_A40の選択機能を持つ。
【００６７】
SCEFは、DN_A5及び/又はPDN_A6とMME_A40とHSS_A50とに接続されており、DN_A5及び/又はPDN_A6とコアネットワーク_A90とを繋ぐゲートウェイとしてユーザデータの転送を行う中継装置である。なお、SCEFは、non-IP通信の為のゲートウェイでもよい。さらに、SCEFは、non-IP通信とIP通信を変換する機能を持っていてもよい。また、こうしたゲートウェイはコアネットワーク_A90に複数配置されてよい。さらに、コアネットワーク_A90と単一のDN_A5及び/又はPDN_A6及び/又はDNを接続するゲートウェイも複数配置されてよい。なお、SCEFはコアネットワークの外側に構成されてもよいし、内側に構成されてもよい。
【００６８】
次に、コアネットワーク_B190には、AUSF(Authentication Server Function)、AMF(Access and Mobility Management Function)_A240、SDSF(Structured Data Storage network function)、UDSF(Unstructured Data Storage network function)、NEF(Network Exposure Function)、NRF(NF Repository Function)、PCF(Policy Control Function)、SMF(Session Management Function)_A230、SMF(Session Management Function)_B232、UDM(Unified Data Management)_A245、UPF(User Plane Function)_A235、UPF(User Plane Function)_B237、AF(Application Function)、N3IWF(Non-3GPP InterWorking Function)のうち、少なくとも１つが含まれてよい。そして、これらはNF(Network Function)として構成されてもよい。NFとは、ネットワーク内に構成される処理機能を指してもよい。また、コアネットワーク_B190は、複数の無線アクセスネットワーク(E-UTRAN_A80、5G-RAN_A120、WLAN ANc125)に接続することができる。無線アクセスネットワークは、複数の異なるアクセスネットワークに接続した構成でもよいし、いずれか1つのアクセスネットワークに接続した構成でもよい。
【００６９】
図3には、簡単化のために、これらのうち、AMF_A240、SMF_A230、及びUPF_A235についてのみ記載されているが、これら以外のもの(装置及び/又はNF)が含まれないということを意味するものではない。尚、簡単化のため、UE_A10はUEと、AMF_A240はAMFと、SMF_A230はSMFと、UPF_A235はUPFと、DN_A5及び/又はPDN_A6はDNとも称する。
【００７０】
また、図3には、N1インターフェース(以下、参照点、reference pointとも称する)、N2インターフェース、N3インターフェース、N4インターフェース、N6インターフェース、N11インターフェース、Nxインターフェースが記載されている。ここで、N1インターフェースはUEとAMFとの間のインターフェースであり、N2インターフェースは(R)AN(アクセスネットワーク)とAMFとの間のインターフェースであり、N3インターフェースは(R)AN(アクセスネットワーク)とUPFとの間のインターフェースであり、N4インターフェースはSMFとUPFとの間のインターフェースであり、N6インターフェースはUPFとDNとの間のインターフェースであり、N11インターフェースはAMFとSMFとの間のインターフェースであり、Nxインターフェースは、コアネットワーク_B190内のAMFとコアネットワーク_A90内のMMEの間のインターフェースである。これらのインターフェースを利用して、各装置間は通信を行うことができる。さらに、図3には、装置間を結ぶインターフェースとして、実線又は点線で記載されている。ここで、実線はU-Planeの為のインターフェースであり、点線はC-Planeの為のインターフェースである。
【００７１】
次に、コアネットワーク_B190内に含まれる各装置の簡単な説明をする。
【００７２】
まず、AMF_A240は、他のAMF、SMF_A230、アクセスネットワーク(つまり、E-UTRAN_A80と5G-RAN_A120とWLAN ANc125とWLAN ANa70とWLAN ANb75)、UDM_A245、AUSF、PCFに接続される。AMF_A240は、登録管理(Registration management)、接続管理(Connection management)、到達可能性管理(Reachability management)、UE_A10等の移動性管理(Mobility management)、UEとSMF間のSM(Session Management)メッセージの転送、アクセス認証(Access Authentication、Access Authorization)、セキュリティアンカー機能(SEA; Security Anchor Function)、セキュリティコンテキスト管理(SCM; Security Context Management)、N3IWFに対するN2インターフェースのサポート、N3IWFを介したUEとのNAS信号の送受信のサポート、N3IWFを介して接続するUEの認証、RM状態(Registration Management states)の管理、CM状態(Connection Management states)の管理等の役割を担ってもよい。また、AMF_A240は、コアネットワーク_B190内に1以上配置されてもよい。また、AMF_A240は、1以上のNSI(Network Slice Instance)を管理するNFでもよい。また、AMF_A240は、複数のNSI間で共有される共有CPファンクション(CCNF; Common CPNF(Control Plane Network Function))でもよい。
【００７３】
また、RM状態としては、例えば、非登録状態(RM-DEREGISTERED state)と、登録状態(RM-REGISTERED state)がある。RM-DEREGISTERED状態では、UEはネットワークに登録されていないため、AMFにおけるUEコンテキストが、そのUEに対して有効な場所の情報やルーティングの情報を持っていない為、AMFはUEに到達できない状態である。また、RM-REGISTERED状態では、UEはネットワークに登録されているため、UEはネットワークとの登録が必要なサービスを受信することができる。
【００７４】
また、CM状態としては、例えば、非接続状態(CM-IDLE state)と、接続状態(CM-CONNECTED state)がある。CM-IDLE状態では、UEはRM-REGISTERED状態にあるが、N1インターフェースを介したAMFとの間で確立されるNASシグナリング接続(NAS signaling connection)を持っていない。また、CM-IDLE状態では、UEはN2インターフェースの接続(N2 connection)、及びN3インターフェースの接続(N3 connection)を持っていない。一方、CM-CONNECTED状態では、N1インターフェースを介したAMFとの間で確立されるNASシグナリング接続(NAS signaling connection)を持っている。また、CM-CONNECTED状態では、UEはN2インターフェースの接続(N2 connection)、及び/又はN3インターフェースの接続(N3 connection)を持っていてもよい。
【００７５】
また、SMF_A230は、AMF_A240、UPF_A235、UDM_A245、PCFに接続される。SMF_A230は、PDUセッション等のセッション管理(Session Management)、UEに対するIPアドレス割り当て(IP address allocation)、UPFの選択と制御、適切な目的地へトラフィックをルーティングする為のUPFの設定、下りリンクのデータが到着したことを通知する機能(Downlink Data Notification)、AMFを介してANに対してN2インターフェースを介して送信される、AN特有の(ANごとの)SM情報の識別子、セッションに対するSSCモード(Session and Service Continuity mode)の決定、ローミング機能等の役割を担ってもよい。
【００７６】
また、UPF_A235は、DN_A5、SMF_A230、他のUPF、及び、アクセスネットワーク(つまり、E-UTRAN_A80と5G-RAN_A120とWLAN ANc125とWLAN ANa70とWLAN ANb75)に接続される。UPF_A235は、intra-RAT mobility又はinter-RAT mobilityに対するアンカー、パケットのルーティングと転送(Packet routing & forwarding)、1つのDNに対して複数のトラフィックフローのルーティングをサポートするUL CL(Uplink Classifier)機能、マルチホームPDUセッション(multi-homed PDU session)をサポートするBranching point機能、user planeに対するQoS処理、上りリンクトラフィックの検証(verification)、下りリンクパケットのバッファリング、下りリンクデータ通知(Downlink Data Notification)のトリガ機能等の役割を担ってもよい。また、UPF_A235は、DN_A5とコアネットワーク_B190との間のゲートウェイとして、ユーザデータの転送を行う中継装置でもよい。尚、UPF_A235は、IP通信及び/又はnon-IP通信の為のゲートウェイでもよい。さらに、UPF_A235は、IP通信を転送する機能を持っていてもよく、non-IP通信とIP通信を変換する機能を持っていてもよい。さらに複数配置されるゲートウェイは、コアネットワーク_B190と単一のDNを接続するゲートウェイでもよい。尚、UPF_A235は、他のNFとの接続性を備えてもよく、他のNFを介して各装置に接続してもよい。
【００７７】
また、AUSFは、UDM_A245、AMF_A240に接続されている。AUSFは、認証サーバとして機能する。
【００７８】
SDSFは、NEFが、構造化されたデータ(structured data)として、情報を保存したり、取得したりするための機能を提供する。
【００７９】
UDSFは、全てのNFが、構造化されていないデータ(unstructured data)として、情報を保存したり、取得したりするための機能を提供する。
【００８０】
NEFは、3GPPネットワークによって提供されるサービス・能力を安全に提供する手段を提供する。他のNFから受信した情報を、構造化されたデータ(structured data)として保存する。
【００８１】
NRFは、NFインスタンスからNF発見要求(NF Discovery Request)を受信すると、そのNFに対して、発見したNFインスタンスの情報を提供したり、利用可能なNFインスタンスや、そのインスタンスがサポートするサービスの情報を保持したりする。
【００８２】
PCFは、SMF_A230、AF、AMF_A240に接続されている。ポリシールール(policy rule)等を提供する。
【００８３】
UDM_A245は、AMF_A240、SMF_A230、AUSF、PCFに接続される。UDM_A245は、UDM FE(application front end)とUDR(User Data Repository)を含む。UDM FEは、認証情報(credentials)、場所管理(location management)、加入者管理(subscription management)等の処理を行う。UDRは、UDM FEが提供するのに必要なデータと、PCFが必要とするポリシープロファイル(policy profiles)を保存する。
【００８４】
AFは、PCFに接続される。AFは、トラフィックルーティングに対して影響を与えたり、ポリシー制御に関与したりする。
【００８５】
N3IWFは、UEとのIPsecトンネルの確立、UEとAMF間のNAS(N1)シグナリングの中継(relaying)、SMFから送信されAMFによってリレーされたN2シグナリングの処理、IPsec Security Association(IPsec SA)の確立、UEとUPF間のuser planeパケットの中継(relaying)、AMF選択等の機能を提供する。
【００８６】
次にIMS_A7には、P-CSCF(Proxy Call Session Control Function; Proxy-CSCF)_A300、P-CSCF_B310、I-CSCF(Interrogating Call Session Control Function; Interrogating-CSCF)、S-CSCF(Serving Call Session Control Function; Serving-CSCF)_A320、E-CSCF(Emergency Call Session Control Function; Emergency-CSCF)_A330のうち、すくなくとも1つが含まれていてよい。これらはNF(Network Function)として構成されてもよい。NFとは、ネットワーク内に構成される処理機能を指してもよい。ここで、CSCF(Call Session Control Function)は、IMS(IP Multimedia subsystem)において、SIP(Session Initiation Protocol)の信号パケットを処理するための、例えば、P-CSCF及び/又はS-CSCF及び/又はE-CSCF及び/又はI-CSCFのような、サーバ及び/又はプロキシの役割を担う、装置及び/又はNFの総称である。
【００８７】
図4には、簡単化のため、P-CSCF_A300、P-CSCF_B310、S-CSCF_A320、E-CSCF_A330についてのみ記載されているが、これら以外のもの(装置及び/又はNF)が含まれないということを意味するものではない。なお、簡単化のためP-CSCF_A300及び/又はP-CSCF_B310をP-CSCFと、S-CSCF_A320をS-CSCFと、E-CSCF_A330をE-CSCFとも称する。
【００８８】
また、図4に記載されている緊急台/緊急台ネットワーク(PSAP(Public Safety Answering Point))は、UE_A10が要求する緊急呼接続の接続先及び/又は接続先のネットワークであってもよい。
【００８９】
次にIMS_A7内に含まれる各装置の簡単な説明をする。
【００９０】
まず、P-CSCFは、コアネットワーク_A及び又はコアネットワーク_B及び/又はUPF及び/又はPWG及び/又はS-CSCF及び/又はE-CSCF等に接続される。P-CSCFは、UE_A10がIMS_A7に接続する際のSIPプロキシサーバである。P-CSCFはUE_A10が最初に接続するIMS_A7の装置であり、後述する登録手続きにてUE_A10に割り当てられ、UE_A10は当該手続き中にP-CSCFの宛先アドレスを取得してもよい。さらにP-CSCFは、UE_A10が要求する、通常呼接続の処理と緊急呼接続の処理を異なる装置及び/又はNFで実行してもよいし、同じ装置及び/又はNFで実行してもよい。
【００９１】
また、S-CSCFは、HSS_A50及び又はUDM_A245及び又はP-CSCF及び/又はI-CSCF及び/又はE-CSCF等に接続される。S-CSCFは、UE_A10にかかわるIMSのセッション制御及び/又はユーザ認証を行うSIPサーバである。
【００９２】
E-CSCFは、P-CSCF及び/又はS-CSCF及び/又はI-CSCF及び/又は緊急台/緊急台ネットワーク(PSAP)等に接続される。E-CSCFは、緊急呼を処理するためのCSCFであり、例えば、緊急呼要求を適切な緊急台/緊急台ネットワーク(PSAP)への経路制御を行ってもよい。
【００９３】
[1.2.各装置の構成]
以下、各装置の構成について説明する。尚、下記各装置及び各装置の各部の機能の一部又は全部は、物理的なハードウェア上で動作するものでもよいし、汎用的なハードウェア上に仮想的に構成された論理的なハードウェア上で動作するものでもよい。
【００９４】
[1.2.1.UEの構成]
まず、UE_A10の装置構成例を、図5に示す。図5に示すように、UE_A10は、制御部_A500、送受信部_A520、記憶部_A540で構成される。送受信部_A520及び記憶部_A540は、制御部_A500とバスを介して接続されている。また、送受信部_A520には、外部アンテナ510が接続されている。また、記憶部_A540は、UEコンテキスト442を記憶している。
【００９５】
制御部_A500は、UE_A10全体を制御する為の機能部であり、記憶部_A540に記憶されている各種の情報やプログラムを読みだして実行することにより、UE_A10全体の各種処理を実現する。
【００９６】
送受信部_A520は、UE_A10がアクセスネットワーク内の基地局(E-UTRAN_A80と5G-RAN_A120)及び/又はアクセスポイント(WLAN ANc125)に接続し、アクセスネットワークへ接続する為の機能部である。言い換えると、UE_A10は、送受信部_A520に接続された外部アンテナ510を介して、アクセスネットワーク内の基地局及び/又はアクセスポイントと接続することができる。具体的には、UE_A10は、送受信部_A520に接続された外部アンテナ510を介して、アクセスネットワーク内の基地局及び/又はアクセスポイントとの間で、ユーザデータ及び/又は制御情報を送受信することができる。
【００９７】
記憶部_A540は、UE_A10の各動作に必要なプログラムやデータ等を記憶する機能部であり、例えば、半導体メモリ、HDD(Hard Disk Drive)、SSD(Solid State Drive)等により構成されている。記憶部_A540は、後述する通信手続き内で送受信する制御メッセージに含まれる識別情報、制御情報、フラグ、パラメータ等を記憶している。記憶部_A540で記憶されるUEコンテキストとしては、アクセスネットワーク_B80/120/125に接続する際に用いるUEコンテキストと、コアネットワーク_B190に接続する際に用いるUEコンテキストとがあってもよい。また、UEコンテキスト442としては、UEごとに記憶されるUEコンテキスト、PDUセッションごとに記憶されるUEコンテキスト、ベアラごとに記憶されるUEコンテキストがあってもよい。UEごとに記憶されるUEコンテキストとしては、IMSI、EMM State、GUTI、ME Identityを含んでもよい。また、PDUセッションごとに記憶されるUEコンテキストとしては、APN in Use、Assigned Session Type、IP Address(es)、Default Bearerを含んでもよい。また、ベアラごとに記憶されるUEコンテキストとしては、EPS Bearer ID、TI、TFTを含んでもよい。
【００９８】
[1.2.2.eNB/NR node/WAGの構成]
次に、eNB_A45、NR node_A122及びWAG_A126の装置構成例を、図6に示す。図6に示すように、eNB_A45、NR node_A122及びWAG_A126は、制御部_B600、ネットワーク接続部_B620、送受信部_B630、記憶部_B640で構成されている。ネットワーク接続部_B620、送受信部_B630及び記憶部_B640は、制御部_B600とバスを介して接続されている。また、送受信部_B630には、外部アンテナ610が接続されている。
【００９９】
制御部_B600は、eNB_A45、NR node_A122及びWAG_A126全体を制御する為の機能部であり、記憶部_B640に記憶されている各種の情報やプログラムを読みだして実行することにより、eNB_A45、NR node_A122、及びWAG_A126全体の各種処理を実現する。
【０１００】
ネットワーク接続部_B620は、eNB_A45、NR node_A122及びWAG_A126が、コアネットワーク内のAMF_A240やUPF_A235と接続する為の機能部である。言い換えると、eNB_A45、NR node_A122及びWAG_A126は、ネットワーク接続部_B620を介して、コアネットワーク内のAMF_A240やUPF_A235と接続することができる。具体的には、eNB_A45、NR node_A122及びWAG_A126は、ネットワーク接続部_B620を介して、AMF_A240及び/又はUPF_A235との間で、ユーザデータ及び/又は制御情報を送受信することができる。
【０１０１】
送受信部_B630は、eNB_A45、NR node_A122及びWAG_A126が、UE_A10と接続する為の機能部である。言い換えると、eNB_A45、NR node_A122及びWAG_A126は、送受信部_B630を介して、UE_A10との間で、ユーザデータ及び/又は制御情報を送受信することができる。
【０１０２】
記憶部_B640は、eNB_A45、NR node_A122及びWAG_A126の各動作に必要なプログラムやデータ等を記憶する機能部である。記憶部_B640は、例えば、半導体メモリや、HDD、SSD等により構成されている。記憶部_B640は、後述する通信手続き内で送受信する制御メッセージに含まれる識別情報、制御情報、フラグ、パラメータ等を記憶している。記憶部_B640は、これらの情報をコンテキストとしてUE_A10毎に記憶してもよい。
【０１０３】
[1.2.3.MME/AMFの構成]
次に、MME_A40及び/又はAMF_A240の装置構成例を、図7に示す。図7に示すように、MME_A40及び/又はAMF_A240は、制御部_C700、ネットワーク接続部_C720、記憶部_C740で構成されている。ネットワーク接続部_C720及び記憶部_C740は、制御部_C700とバスを介して接続されている。また、記憶部_C740は、コンテキスト742を記憶している。
【０１０４】
制御部_C700は、MME_A40及び/又はAMF_A240全体を制御する為の機能部であり、記憶部_C740に記憶されている各種の情報やプログラムを読みだして実行することにより、MME_A40及び/又はAMF_A240全体の各種処理を実現する。
【０１０５】
ネットワーク接続部_C720は、MME_A40及び/又はAMF_A240が、他のAMF_240、SMF_A230、アクセスネットワーク内の基地局(E-UTRAN_A80と5G-RAN_A120)及び/又はアクセスポイント(WLAN ANc125)、UDM_A245、AUSF、PCFと接続する為の機能部である。言い換えると、MME_A40及び/又はAMF_A240は、ネットワーク接続部_C720を介して、アクセスネットワーク内の基地局及び/又はアクセスポイント、UDM_A245、AUSF、PCFとの間で、ユーザデータ及び/又は制御情報を送受信することができる。
【０１０６】
記憶部_C740は、MME_A40及び/又はAMF_A240の各動作に必要なプログラムやデータ等を記憶する機能部である。記憶部_C740は、例えば、半導体メモリや、HDD、SSD等により構成されている。記憶部_C740は、後述する通信手続き内で送受信する制御メッセージに含まれる識別情報、制御情報、フラグ、パラメータ等を記憶している。記憶部_C740に記憶されているコンテキスト742としては、UEごとに記憶されるコンテキスト、PDUセッションごとに記憶されるコンテキスト、ベアラごとに記憶されるコンテキストがあってもよい。UEごとに記憶されるコンテキストとしては、IMSI、MSISDN、MM State、GUTI、ME Identity、UE Radio Access Capability、UE Network Capability、MS Network Capability、Access Restriction、MME F-TEID、SGW F-TEID、eNB Address、MME UE S1AP ID、eNB UE S1AP ID、NR node Address、NR node ID、WAG Address、WAG IDを含んでもよい。また、PDUセッションごとに記憶されるコンテキストとしては、APN in Use、Assigned Session Type、IP Address(es)、PGW F-TEID、SCEF ID、Default bearerを含んでもよい。また、ベアラごとに記憶されるコンテキストとしては、EPS Bearer ID、TI、TFT、SGW F-TEID、PGW F-TEID、MME F-TEID、eNB Address、NR node Address、WAG Address、eNB ID、NR node ID、WAG IDを含んでもよい。
【０１０７】
[1.2.4.SMFの構成]
次に、SMF_A230の装置構成例を、図8に示す。図8に示すように、SMF_A230は、それぞれ、制御部_D800、ネットワーク接続部_D820、記憶部_D840で構成されている。ネットワーク接続部_D820及び記憶部_D840は、制御部_D800とバスを介して接続されている。また、記憶部_D840は、コンテキスト842を記憶している。
【０１０８】
SMF_A230の制御部_D800は、SMF_A230全体を制御する為の機能部であり、記憶部_D840に記憶されている各種の情報やプログラムを読みだして実行することにより、SMF_A230全体の各種処理を実現する。
【０１０９】
また、SMF_A230のネットワーク接続部_D820は、SMF_A230が、AMF_A240、UPF_A235、UDM_A245、PCFと接続する為の機能部である。言い換えると、SMF_A230は、ネットワーク接続部_D820を介して、AMF_A240、UPF_A235、UDM_A245、PCFとの間で、ユーザデータ及び/又は制御情報を送受信することができる。
【０１１０】
また、SMF_A230の記憶部_D840は、SMF_A230の各動作に必要なプログラムやデータ等を記憶する機能部である。SMF_A230の記憶部_D840は、例えば、半導体メモリや、HDD、SSD等により構成されている。SMF_A230の記憶部_D840は、後述する通信手続き内で送受信する制御メッセージに含まれる識別情報、制御情報、フラグ、パラメータ等を記憶している。また、SMF_A230の記憶部_D840で記憶されるコンテキスト842としては、UEごとに記憶されるコンテキストと、APNごとに記憶されるコンテキストと、PDUセッションごとに記憶されるコンテキストと、ベアラごとに記憶されるコンテキストがあってよい。UEごとに記憶されるコンテキストは、IMSI、ME Identity、MSISDN、RAT typeを含んでもよい。APNごとに記憶されるコンテキストは、APN in useを含んでもよい。尚、APNごとに記憶されるコンテキストは、Data Network Identifierごとに記憶されてもよい。PDUセッションごとに記憶されるコンテキストは、Assigned Session Type、IP Address(es)、SGW F-TEID、PGW F-TEID、Default Bearerを含んでもよい。ベアラごとに記憶されるコンテキストは、EPS Bearer ID、TFT、SGW F-TEID、PGW F-TEIDを含んでもよい。
【０１１１】
[1.2.5.PGW/UPFの構成]
次に、PGW_A30及び/又はUPF_A235の装置構成例を、図8に示す。図8に示すように、PGW_A30及び/又はUPF_A235は、それぞれ、制御部_D800、ネットワーク接続部_D820、記憶部_D840で構成されている。ネットワーク接続部_D820及び記憶部_D840は、制御部_D800とバスを介して接続されている。また、記憶部_D840は、コンテキスト842を記憶している。
【０１１２】
PGW_A30及び/又はUPF_A235の制御部_D800は、UPF_A235全体を制御する為の機能部であり、記憶部_D840に記憶されている各種の情報やプログラムを読みだして実行することにより、PGW_A30及び/又はUPF_A235全体の各種処理を実現する。
【０１１３】
また、PGW_A30及び/又はUPF_A235のネットワーク接続部_D820は、PGW_A30及び/又はUPF_A235が、DN(つまり、DN_A5及び/又はPDN_A6)、SMF_A230、他のPGW_A30及び/又はUPF_A235、及び、アクセスネットワーク(つまり、E-UTRAN_A80と5G-RAN_A120とWLAN ANc125とWLAN ANa70とWLAN ANb75)と接続する為の機能部である。言い換えると、UPF_A235は、ネットワーク接続部_D820を介して、DN(つまり、DN_A5及び/又はPDN_A6)、SMF_A230、他のUPF_A235、及び、アクセスネットワーク(つまり、E-UTRAN_A80と5G-RAN_A120とWLAN ANc125とWLAN ANa70とWLAN ANb75)との間で、ユーザデータ及び/又は制御情報を送受信することができる。
【０１１４】
また、PGW_A30及び/又はUPF_A235の記憶部_D840は、PGW_A30及び/又はUPF_A235の各動作に必要なプログラムやデータ等を記憶する機能部である。PGW_A30及び/又はUPF_A235の記憶部_D840は、例えば、半導体メモリや、HDD、SSD等により構成されている。PGW_A30及び/又はUPF_A235の記憶部_D840は、後述する通信手続き内で送受信する制御メッセージに含まれる識別情報、制御情報、フラグ、パラメータ等を記憶している。また、PGW_A30及び/又はUPF_A235の記憶部_D840で記憶されるコンテキスト842としては、UEごとに記憶されるコンテキストと、APNごとに記憶されるコンテキストと、PDUセッションごとに記憶されるコンテキストと、ベアラごとに記憶されるコンテキストがあってよい。UEごとに記憶されるコンテキストは、IMSI、ME Identity、MSISDN、RAT typeを含んでもよい。APNごとに記憶されるコンテキストは、APN in useを含んでもよい。尚、APNごとに記憶されるコンテキストは、Data Network Identifierごとに記憶されてもよい。PDUセッションごとに記憶されるコンテキストは、Assigned Session Type、IP Address(es)、SGW F-TEID、PGW F-TEID、Default Bearerを含んでもよい。ベアラごとに記憶されるコンテキストは、EPS Bearer ID、TFT、SGW F-TEID、PGW F-TEIDを含んでもよい。
【０１１５】
[1.2.6.CSCFの構成]
次に、CSCFの構成例を、図9に示す。図9に示すように、CSCFは、それぞれ、制御部_E900、ネットワーク接続部_E920、記憶部_E940で構成されている。ネットワーク接続部_E920及び記憶部_E940は、制御部_E900とバスを介して接続されている。また、記憶部_E940は、コンテキスト942を記憶している。
【０１１６】
CSCFの制御部_E900は、CSCF全体を制御する為の機能部であり、記憶部_E940に記憶されている各種の情報やプログラムを読みだして実行することにより、CSCF全体の各種処理を実現する。
【０１１７】
また、CSCFのネットワーク接続部_E920は、CSCFが、他のCSCF、UPF_A235、PGW_A30、HSS_A50、UDM_A245と接続する為の機能部である。言い換えると、CSCFは、ネットワーク接続部_E920を介して、他のCSCF、UPF_A235、PGW_A30、HSS_A50、UDM_A245との間で、ユーザデータ及び/又は制御情報を送受信することができる。
【０１１８】
また、CSCFの記憶部_E940は、CSCFの各動作に必要なプログラムやデータ等を記憶する機能部である。記憶部_E940は、例えば、半導体メモリや、HDD、SSD等により構成されている。記憶部_E940は、後述する通信手続き内で送受信する制御メッセージに含まれる識別情報、制御情報、フラグ、パラメータ等を記憶している。記憶部_E940に記憶されているコンテキスト942としては、UEごとに記憶されるコンテキストがあってもよく、IMSI、MSISDN、UE Address、Public User ID(s)、Private User ID(s)、アクセスネットワークタイプ、セッションの状態(session state Information)を含んでもよい。
【０１１９】
[1.2.7.上記各装置の記憶部に記憶される情報]
次に、上記各装置の記憶部で記憶される各情報について、説明する。
【０１２０】
IMSI(International Mobile Subscriber Identity)及び/又はSUPI(Subscriber Permanent Identifier)は、加入者(ユーザ)の永久的な識別情報であり、UEを使用するユーザに割り当てられる識別情報である。UE_A10及びMME_A40/CPF_A140/AMF_A2400及びSGW_A35が記憶するIMSI及び/又はSUPIは、HSS_A50及び/又はUDM_A245が記憶するIMSI及び/又はSUPIと等しくてよい。ここで、SUPIは、IMSIを含んでいてもよい。
【０１２１】
EMM State/MM Stateは、UE_A10又はMME_A40/CPF_A140/AMF_A240の移動管理(Mobility management)状態を示す。例えば、EMM State/MM Stateは、UE_A10がネットワークに登録されているEMM-REGISTERED状態(登録状態)、及び/又はUE_A10がネットワークに登録されていないEMM-DEREGISTERD状態(非登録状態)でもよい。また、EMM State/MM Stateは、UE_A10とコアネットワーク間の接続が維持されているECM-CONNECTED状態、及び/又は接続が解放されているECM-IDLE状態でもよい。尚、EMM State/MM Stateは、UE_A10がEPCに登録されている状態と、NGC又は5GCに登録されている状態とを、区別できる情報であってもよい。
【０１２２】
GUTI(Globally Unique Temporary Identity)は、UE_A10の一時的な識別情報である。GUTIは、MME_A40/CPF_A140/AMF_A240の識別情報(GUMMEI(Globally Unique MME Identifier))と特定MME_A40/CPF_A140/AMF_A240内でのUE_A10の識別情報(M-TMSI(M-Temporary Mobile Subscriber Identity))とにより構成される。ME Identityは、UE_A10又はMEのIDであり、例えば、IMEI(International Mobile Equipment Identity)やIMEISV(IMEI Software Version)でもよい。MSISDNは、UE_A10の基本的な電話番号を表す。MME_A40/CPF_A140/AMF_A240が記憶するMSISDNはHSS_A50の記憶部により示された情報でよい。尚、GUTIには、CPF_140を識別する情報が含まれてもよい。
【０１２３】
MME F-TEIDは、MME_A40/CPF_A140/AMF_A240を識別する情報である。MME F-TEIDには、MME_A40/CPF_A140/AMF_A240のIPアドレスが含まれてもよいし、MME_A40/CPF_A140/AMF_A240のTEID(Tunnel Endpoint Identifier)が含まれてもよいし、これらの両方が含まれてもよい。また、MME_A40/CPF_A140/AMF_A240のIPアドレスとMME_A40/CPF_A140/AMF_A240のTEIDは独立して記憶されてもよい。また、MME F-TEIDは、ユーザデータ用の識別情報でもよいし、制御情報用の識別情報でもよい。
【０１２４】
SGW F-TEIDは、SGW_A35を識別する情報である。SGW F-TEIDには、SGW_A35のIPアドレスが含まれてもよいし、SGW_A35のTEIDが含まれてもよいし、これら両方が含まれてもよい。また、SGW_A35のIPアドレスとSGW_A35のTEIDとは、独立して記憶されてもよい。また、SGW F-TEIDは、ユーザデータ用の識別情報でもよいし、制御情報用の識別情報でもよい。
【０１２５】
PGW F-TEIDは、PGW_A30/UPGW_A130/SMF_A230/UPF_A235を識別する情報である。PGW F-TEIDには、PGW_A30/UPGW_A130/SMF_A230/UPF_A235のIPアドレスが含まれてもよいし、PGW_A30/UPGW_A130/SMF_A230/UPF_A235のTEIDが含まれてもよいし、これらの両方が含まれてもよい。また、PGW_A30/UPGW_A130/SMF_A230/UPF_A235のIPアドレスとPGW_A30/UPGW_A130/SMF_A230/UPF_A235のTEIDは独立して記憶されてもよい。また、PGW F-TEIDは、ユーザデータ用の識別情報でもよいし、制御情報用の識別情報でもよい。
【０１２６】
eNB F-TEIDはeNB_A45を識別する情報である。eNB F-TEIDには、eNB_A45のIPアドレスが含まれてもよいし、eNB_A45のTEIDが含まれてもよいし、これら両方が含まれてもよい。また、eNB_A45のIPアドレスとSGW_A35のTEIDとは、独立して記憶されてもよい。また、eNB F-TEIDは、ユーザデータ用の識別情報でもよいし、制御情報用の識別情報でもよい。
【０１２７】
また、APNは、コアネットワークとDN等の外部ネットワークとを識別する識別情報でよい。さらに、APNは、コアネットワークA_90を接続するPGW_A30/UPGW_A130/UPF_A235等のゲートウェイを選択する情報として用いることもできる。尚、APNは、DNN(Data Network Name)であってもよい。従って、APNのことをDNNと表現してもよいし、DNNのことをAPNと表現してもよい。
【０１２８】
尚、APNは、こうしたゲートウェイを識別する識別情報でもよいし、DN等の外部ネットワークを識別する識別情報でもよい。尚、コアネットワークとDNとを接続するゲートウェイが複数配置される場合には、APNによって選択可能なゲートウェイは複数あってもよい。さらに、APN以外の識別情報を用いた別の手法によって、こうした複数のゲートウェイの中から1つのゲートウェイを選択してもよい。
【０１２９】
UE Radio Access Capabilityは、UE_A10の無線アクセス能力を示す識別情報である。UE Network Capabilityは、UE_A10にサポートされるセキュリティーのアルゴリズムと鍵派生関数を含める。MS Network Capabilityは、GERAN_A25及び/又はUTRAN_A20機能をもつUE_A10に対して、SGSNに必要な1以上の情報を含める情報である。Access Restrictionは、アクセス制限の登録情報である。eNB Addressは、eNB_A45のIPアドレスである。MME UE S1AP IDは、MME_A40/CPF_A140/AMF_A240内でUE_A10を識別する情報である。eNB UE S1AP IDは、eNB_A45内でUE_A10を識別する情報である。
【０１３０】
APN in Useは、最近使用されたAPNである。APN in UseはData Network Identifierでもよい。このAPNは、ネットワークの識別情報と、デフォルトのオペレータの識別情報とで構成されてよい。さらに、APN in Useは、PDUセッションの確立先のDNを識別する情報でもよい。
【０１３１】
Assigned Session Typeは、PDUセッションのタイプを示す情報である。Assigned Session TypeはAssigned PDN Typeでもよい。PDUセッションのタイプは、IPでもよいし、non-IPでもよい。さらに、PDUセッションのタイプがIPである場合、ネットワークから割り当てられたPDNのタイプを示す情報をさらに含んでもよい。尚、Assigned Session Typeは、IPv4、IPv6、又はIPv4v6でよい。
【０１３２】
また、特に記載がない場合には、IP Addressは、UEに割り当てられたIPアドレスである。IPアドレスは、IPv4アドレスでもよいし、IPv6アドレスでもよいし、IPv6プレフィックスでもよい。尚、Assigned Session Typeがnon-IPを示す場合、IP Addressの要素を含まなくてもよい。
【０１３３】
DN IDは、コアネットワーク_B190とDN等の外部ネットワークとを識別する識別情報である。さらに、DN IDは、コアネットワーク_B190を接続するUPGW_A130又はPF_A235等のゲートウェイを選択する情報として用いることもできる。
【０１３４】
尚、DN IDは、こうしたゲートウェイを識別する識別情報でもよいし、DN等の外部ネットワークを識別する識別情報でもよい。尚、コアネットワーク_B190とDNとを接続するゲートウェイが複数配置される場合には、DN IDによって選択可能なゲートウェイは複数あってもよい。さらに、DN ID以外の識別情報を用いた別の手法によって、こうした複数のゲートウェイの中から1つのゲートウェイを選択してもよい。
【０１３５】
さらに、DN IDは、APNと等しい情報でもよいし、APNとは異なる情報でもよい。尚、DN IDとAPNが異なる情報である場合、各装置は、DN IDとAPNとの対応関係を示す情報を管理してもよいし、DN IDを用いてAPNを問い合わせる手続きを実施してもよいし、APNを用いてDN IDを問い合わせる手続きを実施してもよい。
【０１３６】
SCEF IDは、PDUセッションで用いられているSCEFのIPアドレスである。Default Bearerは、PDUセッション確立時に取得及び/又は生成する情報であり、PDUセッションに対応づけられたデフォルトベアラ(default bearer)を識別する為のEPSベアラ識別情報である。
【０１３７】
EPS Bearer IDは、EPSベアラの識別情報である。また、EPS Bearer IDは、SRB(Signalling Radio Bearer)及び/又はCRB(Control-plane Radio bearer)を識別する識別情報でもよいし、DRB(Data Radio Bearer)を識別する識別情報でもよい。TI(Transaction Identifier)は、双方向のメッセージフロー(Transaction)を識別する識別情報である。尚、EPS Bearer IDは、デディケイテッドベアラ(dedicated bearer)を識別するEPSベアラ識別情報でよい。したがって、デフォルトベアラとは異なるEPSベアラを識別する識別情報でよい。TFTは、EPSベアラと関連づけられた全てのパケットフィルターを示す。TFTは送受信するユーザデータの一部を識別する情報であり、UE_A10は、TFTによって識別されたユーザデータを、TFTに関連付けたEPSベアラを用いて送受信する。さらに言い換えると、UE_A10は、TFTによって識別されたユーザデータを、TFTに関連づけたRB(Radio Bearer)を用いて送受信する。また、TFTは、送受信するアプリケーションデータ等のユーザデータを適切な転送路に対応づけるものでもよく、アプリケーションデータを識別する識別情報でもよい。また、UE_A10は、TFTで識別できないユーザデータを、デフォルトベアラを用いて送受信してもよい。また、UE_A10は、デフォルトベアラに関連付けられたTFTを予め記憶しておいてもよい。
【０１３８】
Default Bearerは、PDNコネクション/PDUセッションに対応づけられたデフォルトベアラを識別するEPSベアラ識別情報である。尚、EPSベアラとは、UE_A10とPGW_A30/UPGW_A130/UPF_A235との間で確立する論理的な通信路でもよく、PDNコネクション/PDUセッションを構成する通信路でもよい。さらに、EPSベアラは、デフォルトベアラでもよく、デディケイテッドベアラでもよい。さらに、EPSベアラは、UE_A10とアクセスネットワーク内の基地局及び/又はアクセスポイントとの間で確立するRBを含んで構成されてよい。さらに、RBとEPSベアラとは1対1に対応づけられてよい。その為、RBの識別情報は、EPSベアラの識別情報と1対1に対応づけられてもよいし、同じ識別情報でもよい。尚、RBは、SRB及び/又はCRBでもよいし、DRBでもよい。また、Default Bearerは、PDUセッション確立時にUE_A10及び/又はSGW_A35及び/又はPGW_A30/UPGW_A130/SMF_A230/UPF_A235がコアネットワークから取得する情報でよい。尚、デフォルトベアラとは、PDNコネクション/PDUセッション中で最初に確立されるEPSベアラであり、1つのPDNコネクション/PDUセッション中に、1つしか確立することができないEPSベアラである。デフォルトベアラは、TFTに対応付けられていないユーザデータの通信に用いることができるEPSベアラであってもよい。また、デディケイテッドベアラとは、PDNコネクション/PDUセッション中でデフォルトベアラが確立された後に確立されるEPSベアラであり、1つのPDNコネクション/PDUセッション中に、複数確立することができるEPSベアラである。デディケイテッドベアラは、TFTに対応付けられたユーザデータの通信に用いることができるEPSベアラである。
【０１３９】
User Identityは、加入者を識別する情報である。User Identityは、IMSIでもよいし、MSISDNでもよい。さらに、User Identityは、IMSI、MSISDN以外の識別情報でもよい。Serving Node Informationは、PDUセッションで用いられているMME_A40/CPF_A140/AMF_A240を識別する情報であり、MME_A40/CPF_A140/AMF_A240のIPアドレスでよい。
【０１４０】
eNB Addressは、eNB_A45のIPアドレスである。eNB IDは、eNB_A45内でUEを識別する情報である。MME Addressは、MME_A40/CPF_A140/AMF_A240のIPアドレスである。MME IDは、MME_A40/CPF_A140/AMF_A240を識別する情報である。NR node Addressは、NR node_A122のIPアドレスである。NR node IDは、NR node_A122を識別する情報である。WAG Addressは、WAG_A126のIPアドレスである。WAG IDは、WAG_A126を識別する情報である。
【０１４１】
[1.3.コアネットワーク_Bに対する初期手続きの説明]
次に、本実施形態におけるコアネットワーク_Bに対する初期手続きの詳細手順を説明する前に、重複説明を避ける為、本実施形態で特有の用語や、各手続きに用いる主要な識別情報を予め説明する。
【０１４２】
まず、第1の状態は、UE_A10が取得した、コアネットワーク_B190及び/又はコアネットワーク_A90のネットワーク能力情報を保持している状態である。
【０１４３】
さらに、UE_A10は、ネットワーク能力情報を、コアネットワーク_B190への登録手続きで取得してもよい。さらに、UE_A10によるネットワーク能力情報取得は、コアネットワークへの登録手続きに限らず、UE_A10とAN及び/又はANを構成する装置間の手続き中で送受信されるメッセージに含まれる識別情報に基づいてもよいし、AN及び/又はANを構成する装置から報知情報として送信されるメッセージに含まれる識別情報の受信に基づいていてもよい。
【０１４４】
尚、第1の状態のUE_A10が、登録手続き中に取得し保持しているネットワーク能力情報は、コアネットワーク_B及び/又はコアネットワーク_A90の音声通話サービス機能のサポート及び/又は緊急呼のためのベアラサポートに関する情報が含まれていてもよい。
【０１４５】
さらに、第1の状態は、UE_A10が登録手続き中に、登録手続きを行っていないコアネットワークの能力情報を取得し、保持している状態であってもよい。ここで、登録手続きを行っていないコアネットワークは、同一PLMN内の別のコアネットワークであってよい。
【０１４６】
言い換えると、第1の状態はUE_A10がコアネットワーク_A90への登録手続きにおいてコアネットワーク_B190の能力情報を要求し取得し保持している状態でもよいし、UE_A10がコアネットワーク_B190への登録手続きにおいてコアネットワーク_Aの能力情報を要求し取得し保持している状態であってもよい。ここで、ネットワークの能力情報は、音声通話サービス機能のサポート及び/又は、緊急呼専用のベアラサポートに関する情報が含まれていてもよい。
【０１４７】
また、第2の状態は、UE_A10が登録したコアネットワークを経由してIMS_A7への登録が完了し、UE_A10が、IMS_A7が提供するサービスを使用可能な状態である。ここで、IMSへの登録は、通常の呼接続のためのIMSへの登録であってよく、緊急呼のためのIMSへの登録(IMS Registration for Emergency Session)でなくてもよい。
【０１４８】
また、トラッキングエリア(TA; Tracking Areaとも称する)は、コアネットワークが管理する、UE_A10の位置情報で表すことが可能な範囲であり、例えば1以上のセルで構成されてもよい。また、TAは、ページングメッセージ等の制御メッセージがブロードキャストされる範囲でもよいし、UE_A10がハンドオーバー手続きをせずに移動できる範囲でもよい。ここで、TAは、3GPP-Accessとnon-3GPP-Accessで個別に管理されていてもよい。さらに、コアネットワーク_Bで管理されるTAと、コアネットワーク_Aで管理されるTAは、同じであってもよいし、異なっていてもよい。
【０１４９】
また、TAリスト(TA list)は、ネットワークがUE_A10に割り当てた1以上のTAが含まれるリストである。尚、UE_A10は、TAリストに含まれる1以上のTA内を移動している間は、登録手続きを実行することなく移動することができてよい。言い換えると、TAリストは、UE_A10が登録手続きを実行することなく移動できるエリアを示す情報群であってよい。
【０１５０】
次に、本実施形態における識別情報について説明する。
【０１５１】
まず、第1の識別情報は、UE_A10が、登録を試みるコアネットワーク_B190が、音声サービス機能及び/又は緊急呼ベアラ又はPDUセッション機能のサポートを有していることを優先するプリファレンス(Preference; Prf)を示す情報であってもよい。
【０１５２】
更に、第1の識別情報を含む要求メッセージをUE_A10から受信したコアネットワーク_B190は、同一PLMN内の別のコアネットワークに音声サービス機能及び/又は緊急呼ベアラ又はPDUセッション機能のサポートを含むネットワーク能力情報の問い合わせを実行してもよいし、当該ネットワーク能力情報をコアネットワーク_B190内のAMF_A240があらかじめ保持又は設定されていてもよい。
【０１５３】
尚、第1の識別情報は、登録手続き(Registration Procedure)で送信される場合には、登録要求(Registration Request)に含まれて送信されることが好ましいが、Registration Request以外の任意の制御メッセージ(例えばNASメッセージ)によって送信されてもよい。また、第1の識別情報は、PDUセッション確立手続き(PDU Session Establishment Procedure)で送信される場合には、PDUセッション確立要求(PDU Session Establishment Request)に含まれて送信されることが好ましいが、PDU Session Establishment Request以外の任意の制御メッセージ(例えばNASメッセージ)によって送信されてもよい。また、第1の識別情報は、登録手続き及び/又はPDUセッション確立手続きが完了した後も、任意のタイミングで、任意の制御メッセージ(例えばNASメッセージ; (Periodic) Registration Update)によって送信されてもよい。
【０１５４】
また、第2の識別情報は、コアネットワーク_A90のネットワーク能力情報を要求することを示す情報であって良い。さらに、第2の識別情報は、コアネットワーク_A90の音声サービス機能及び/又は緊急呼ベアラ又はPDUセッション機能のサポートに関するネットワーク能力情報を要求することを示す情報であってもよい。
【０１５５】
尚、第2の識別情報は、コアネットワーク_B内のAMFからコアネットワーク_A内のMMEに送信されるメッセージに含まれていてよく、このメッセージは、Nxインターフェースを使用して送受信してもよい。ここで、登録手続き中の(B)のメッセージの宛先となるコアネットワーク_A内のMMEは、AMFがUEの位置情報及び/又はオペレータポリシーに基づいて決定しても良い。
【０１５６】
さらに、MMEは第2の識別情報の受信に基づいて、コアネットワーク_Aのネットワーク能力情報を登録手続き中の(B)のメッセージに含めてAMFに送信してもよい。
【０１５７】
また、第3の識別情報は、コアネットワーク_A90のネットワーク能力情報を示す情報であってよい。さらに、第3の識別情報は、コアネットワーク_A90の音声サービス機能及び/又は緊急呼ベアラ又はPDUセッション機能のサポートに関するネットワーク能力情報を示す情報であってもよい。
【０１５８】
第3の識別情報は、コアネットワーク_A90内のMME_A40からコアネットワーク_B190内のAMF_A240に送信される、登録手続き中の(A)メッセージの返答である登録手続き中の(B)のメッセージに含まれていてよく、このメッセージは、Nxインターフェースを使用して送受信してもよい。
【０１５９】
さらに、AMF_A240は第3の識別情報の受信に基づいて、UE_A10にコアネットワーク_A90のネットワーク能力情報を登録受諾メッセージに含めて送信してもよい。
【０１６０】
また、第10の識別情報は、コアネットワーク_B190が音声サービス機能をサポートしているか否かを示す能力情報である。UE_A10は、コアネットワーク_B190が音声サービス機能をサポートしていることを示す第10の識別情報の受信に基づいて、以降の通常呼接続を実行してもよい。
【０１６１】
また、第11の識別情報は、コアネットワーク_B190が緊急呼の為のベアラ又はPDUセッション機能をサポートしているか否かを示す能力情報である。UE_A10は、コアネットワーク_Bが緊急呼の為のベアラ又はPDUセッション機能をサポートしていることを示す第11の識別情報の受信に基づいて、以降の緊急呼接続を実行してもよい。
【０１６２】
また、第12の識別情報は、コアネットワーク_B190と同一PLMN内の別のコアネットワークである、例えば、コアネットワーク_A90が音声サービス機能及び緊急呼の為のベアラ又はPDUセッション機能を提供しているか否かを示す識別情報である。
【０１６３】
例えば、UE_A10は、同一PLMN内の別のコアネットワークが音声サービス機能及び緊急呼の為のベアラ又はPDUセッションサービスを提供していることを示す第12の識別情報の受信に基づいて、緊急呼用ベアラ/PDUセッション機能を提供している別のコアネットワークに切り替え、当該コアネットワークを経由して緊急呼接続を実施してもよい。
【０１６４】
次に、本実施形態における初期手続きを、図10を用いて説明する。以下、初期手続きは本手続きとも称し、初期手続き(本手続き)には、報知情報及び/又はコアネットワーク_B190への(初期)登録手続き((Initial) Registration procedure)及び/又はPDUセッション確立手続き(PDU session establishment procedure)及びIMS登録手続き(IMS Registration)が含まれる。報知情報、登録手続き、PDUセッション確立手続き、IMS登録手続きの詳細は、後述する。
【０１６５】
具体的には、各装置が本手続き中の(A)の手続きを実行することにより、UE_A10は、コアネットワークB_190及び/又はコアネットワーク_A90のネットワーク能力情報を取得し、各装置は第1の状態に遷移する(S1030)。ここで、UE_A10は、本手続き中の(B)の手続き中及び/又は本手続き中の(C)の手続き中に、コアネットワーク_B190のネットワーク能力情報を取得してもよい。さらに、UE_A10は、本手続き中の(C)の手続き中に、及び/又はコアネットワーク_A90のネットワーク能力情報を取得してもよい。さらに、本手続き中の(B)の手続きは、報知情報の受信(S1000)であってもよく、本手続き中の(C)の手続きは、コアネットワーク_B190への登録手続き(S1010)及び単独のPDUセッション確立手続き(S1020)であってもよい。さらに、各装置が登録手続きを実行することにより、UE_A10はネットワークに登録された状態(RM-REGISTERED状態)に遷移してもよいし、各装置がPDUセッション確立手続きを実行することにより、UE_A10は、コアネットワーク_B190を介して、PDU接続サービスを提供するDNとの間でPDUセッションを確立してもよい。
【０１６６】
次に、各装置は、IMS登録手続き(S1040)を実行することにより、UE_A10はコアネットワーク_B190を介して、IMSサービスを提供するIMS_A7に登録され、各装置は第2の状態に遷移する(S1050)。以上により本手続きは完了する。
【０１６７】
尚、各装置は、報知情報の受信及び/又は登録手続き及び/又はPDUセッション確立手続きにおいて、各装置の各種能力情報及び/又は各種要求情報を交換及び/又は取得してもよい。また、各装置は、各種能力情報の交換及び/又は各種要求の交渉を登録手続きで実施した場合、各種情報の交換及び/又は各種要求の交渉を単独のPDUセッション確立手続きで実施しなくてもよい。また、各装置は、各種情報の交換及び/又は各種要求の交渉を登録手続きで実施しなかった場合、各種情報の交換及び/又は各種要求の交渉を単独のPDUセッション確立手続きで実施してもよい。また、各装置は、各種情報の交換及び/又は各種要求の交渉を登録手続きで実施した場合でも、各種情報の交換及び/又は各種要求の交渉を単独のPDUセッション確立手続きで実施してもよい。
【０１６８】
また、各装置は、PDUセッション確立手続きを、登録手続きの中で実行してもよく、登録手続きの完了後に実行してもよい。また、PDUセッション確立手続きが登録手続きの中で実行される場合、PDUセッション確立要求メッセージは登録要求メッセージに含まれて送受信されてよく、PDUセッション確立受諾メッセージは登録受諾メッセージに含まれて送受信されてよく、PDUセッション確立完了メッセージは登録完了メッセージに含まれて送受信されてよく、PDUセッション確立拒絶メッセージは登録拒絶メッセージに含まれて送受信されてよい。また、PDUセッション確立手続きが登録手続きの中で実行された場合、各装置は、登録手続きの完了に基づいてPDUセッションを確立してもよいし、第1の状態へ遷移してもよい。
【０１６９】
また、本手続きに関わる各装置は、本手続きで説明する各制御メッセージを送受信することにより、各制御メッセージに含まれる1以上の識別情報を送受信し、送受信した各識別情報をコンテキストとして記憶してもよい。
【０１７０】
[1.3.1.報知情報の概要]
まず、報知情報の概要について説明する。報知情報は、UE_A10に対し、AN及び/又はANを構成する装置から送信されるメッセージ及び/又は信号及び/又はビーコンフレームに含まれていてもよい。さらに、報知情報は、第10の識別情報及び/又は第11の識別情報を含んでいてもよい。
【０１７１】
ここで、UE_A10は、報知情報に第10の識別情報が含まれていることにより、接続を試みているコアネットワーク_B190が音声サービスをサポートしているか否かのいずれかを認識してもよい。さらに、UE_A10は、保持しているコンテキスト中にこれらの情報を記憶してしてもよい。
【０１７２】
また、例えば、UE_A10は、報知情報に第11の識別情報が含まれていることにより、コアネットワーク_B190が緊急呼ベアラをサポートしているか否かのいずれかを認識してもよい。さらに、UE_A10は、保持しているコンテキスト中にこれらの情報を記憶してしてもよい。
【０１７３】
さらにUE_A10は報知情報の受信/及び又は後述の登録手続きの完了に基づき、状態1に遷移してもよい。
【０１７４】
[1.3.2.登録手続きの概要]
次に、登録手続きの概要について説明する。登録手続きは、UE_A10が主導してネットワーク(アクセスネットワーク、及び/又はコアネットワーク_B190、及び/又はDN(DN_A5及び/又はPDN_A6)へ登録する為の手続きである。UE_A10は、ネットワークに登録していない状態であれば、電源投入時等の任意のタイミングで本手続きを実行することができる。言い換えると、UE_A10は、非登録状態(RM-DEREGISTERED state)であれば任意のタイミングで本手続きを開始してもよい。また、各装置は、登録手続きの完了に基づいて、登録状態(RM-REGISTERED state)に遷移してもよい。
【０１７５】
さらに、本手続きは、ネットワークにおけるUE_A10の位置登録情報を更新する、及び/又は、UE_A10からネットワークへ定期的にUE_A10の状態を通知する、及び/又は、ネットワークにおけるUE_A10に関する特定のパラメータを更新する為の手続きであってもよい。
【０１７６】
UE_A10は、TAを跨ぐモビリティをした際に、本手続きを開始してもよい。言い換えると、UE_A10は、保持しているTAリストで示されるTAとは異なるTAに移動した際に、本手続きを開始してもよい。さらに、UE_A10は、実行しているタイマーが満了した際に本手続きを開始してもよい。さらに、UE_A10は、PDUセッションの切断や無効化が原因で各装置のコンテキストの更新が必要な際に本手続きを開始してもよい。さらに、UE_A10は、UE_A10のPDUセッション確立に関する、能力情報、及び/又はプリファレンスに変化が生じた場合、本手続きを開始してもよい。さらに、UE_A10は、定期的に本手続きを開始してもよい。尚、UE_A10は、これらに限らず、PDUセッションが確立された状態であれば、任意のタイミングで本手続きを実行することができる。
【０１７７】
また、本手続き及び/又は後述するPDNセッション確立手続きの完了に基づき、UE_A10及び/又は各装置は、第1の状態に遷移してもよい。
【０１７８】
[1.3.2.1.登録手続き例]
図11を用いて、登録手続きを実行する手順の例を説明する。以下、本手続きとは登録手続きを指す。以下、本手続きの各ステップについて説明する。
【０１７９】
まず、UE_A10は、NR node_A122を介して、AMF_A240に登録要求(Registration Request)メッセージを送信することにより(S1100)(S1102)(S1104)、登録手続きを開始する。また、UE_A10は、登録要求メッセージにSM(Session Management)メッセージ(例えば、PDUセッション確立要求メッセージ)を含めて送信することで、又は登録要求メッセージとともにSMメッセージ(例えば、PDUセッション確立要求メッセージ)を送信することで、登録手続き中にPDUセッション確立手続き等のSMのための手続きを開始してもよい。
【０１８０】
具体的には、UE_A10は、登録要求メッセージを含むRRCメッセージを、NR node_A122に送信する(S1100)。NR node_A122は、登録要求メッセージを含むRRCメッセージを受信すると、登録要求メッセージのルーティング先のNF又は共有CPファンクションとして、AMF_A240を選択する(S1102)。NR node_A122は、受信したRRCメッセージの中から登録要求メッセージを取り出し、選択したAMF_A240に、登録要求メッセージを送信又は転送する(S1104)。ここで、NR node_A122は、RRCメッセージに含まれる情報に基づき、AMF_A240を選択してもよい。また、登録要求メッセージは、N1インターフェース上で送受信されるNAS(Non-Access-Stratum)メッセージであってよい。また、RRCメッセージは、UE_A10とNR node_A122との間で送受信される制御メッセージであってよい。また、NASメッセージはNASレイヤで処理され、RRCメッセージはRRCレイヤで処理され、NASレイヤはRRCレイヤよりも上位のレイヤであってよい。
【０１８１】
また、UE_A10は、登録を要求するNSIが複数存在する場合は、そのNSIごとに登録要求メッセージを送信してもよく、複数の登録要求メッセージを、1以上のRRCメッセージに含めて送信してもよい。また、上記の複数の登録要求メッセージを1つの登録要求メッセージとして、1以上のRRCメッセージに含めて送信してもよい。
【０１８２】
ここで、UE_A10は、登録要求メッセージ及び/又はRRCメッセージに、第1の識別情報を含めてもよい。
【０１８３】
さらに、UE_A10は、第1の識別情報を送信することで、UE_A10が、IMS緊急呼接続を実行する際に、緊急呼専用PDUセッション、もしくは緊急呼専用ベアラを用いたIMS緊急呼接続を優先、もしくは要求していることを示してもよい。
【０１８４】
尚、UE_A10は、第1の識別情報を登録要求メッセージに含めるか否かを、UE_A10の能力情報、及び/又はUEポリシー等のポリシー、及び/又はUE_A10のプリファレンスに基づいて決定してもよい。
【０１８５】
また、UE_A10は、第1の識別情報を送信することで、UE_A10の位置登録エリアと重なって存在する同一PLMN内の別のコアネットワーク(例えばコアネットワーク_A90)に音声サービス機能及び/又は緊急呼専用PDUセッション機能、もしくは緊急呼専用ベアラ機能のサポートを含むネットワーク能力情報の問い合わせを要求することを示してもよい。
【０１８６】
また、UE_A10は、第1の識別情報を送信することで、UE_A10がコアネットワーク_A90に対するPDUセッション確立に対応する能力を有することを示してもよいし、さらに、UE_A10がコアネットワーク_A90を経由して音声サービス及び/又は緊急呼を使用する手続きに対応する能力を有することを示してもよい。
【０１８７】
また、UE_A10は、第1の識別情報を、登録要求メッセージとは異なる制御メッセージ(例えばNASメッセージまたはRRCメッセージ)に含めて送信してもよい。
【０１８８】
AMF_A240は、登録要求メッセージ及び/又は登録要求メッセージとは異なる制御メッセージを受信し、第1の条件判別を実行する。第1の条件判別は、ネットワークがUE_A10の要求を受諾するか否かを判別するためのものである。AMF_A240は、第1の条件判別が真の場合、本手続き中の(A)の手続きを開始し、第1の条件判別が偽の場合、本手続き中の(B)の手続きを開始する。
【０１８９】
以下、本手続き中の(A)の手続きの各ステップを説明する。AMF_A240は、第5の条件判別及び/又は第4の条件判別を実行し、本手続き中の(A)の手続きを開始する。ここで、第5の条件判別と第4の条件判別を実行する順序は問わない。具体的には、例えば、第5の条件判別を実行してから第4の条件判別を実行してもよいし、逆に、第4の条件判別を実行してから第5の条件判別を実行してもよいし、さらに、第5の条件判別と第4の条件判別を同時に実行してもよい。
【０１９０】
まず、第5の条件判別は、AMF_A240が本手続き中の(C)の手続きを実施するか否かを判別するためのものである。AMF_A240は、第5の条件判別が真の場合には、MME_A40を選択(S1114)、及び選択したMME_A40に登録手続き中の(D)のメッセージの送信を実行(S1116)し、MME_A40から登録手続き中の(E)のメッセージを受信(S1118)し、第5の条件判別が偽の場合には、これらを省略する。
【０１９１】
尚、AMF_A240は、UE_A10の位置登録エリア及び/又はネットワークポリシー及び/又はAMF_A240を含む装置設定に基づき、UE_A10が本登録手続きで登録を試みるコアネットワーク_B190の位置登録エリアと重なって存在する同一PLMN内の別のコアネットワークである、例えばコアネットワーク_A90内のMME_A40を選択してもよい。
【０１９２】
また、AMF_A240は、登録手続き中の(D)のメッセージに、第2の識別情報を含めてもよいし、この識別情報を含めることで、UE_A10が本登録手続きで登録を試みるコアネットワーク_B190の位置登録エリアと重なって存在する同一PLMN内の別のコアネットワークである、例えばコアネットワーク_A90の音声サービス及び/又は緊急呼ベアラサポートに関する能力情報を当該コアネットワーク内のMME_A40に要求することを示してもよい。
【０１９３】
また、MME_A40は、登録手続き中の(E)のメッセージに、第3の識別情報を含めてもよいし、この識別情報を含めることで、当該コアネットワークの音声サービス及び/又は緊急呼ベアラサポートに関するネットワーク能力情報を示してもよい。さらに、登録手続き中の(E)のメッセージは、MME_A40からAMF_A240への登録手続き中の(D)のメッセージに対する応答メッセージであってよい。さらに、登録手続き中の(E)のメッセージは、受諾メッセージ又は拒絶メッセージであってもよく、登録手続き中の(E)のメッセージが受諾を意味するメッセージであった場合、音声サービス及び/又は緊急呼ベアラサポートに関するネットワーク能力情報の有無のいずれかを示していてよい。以降、特に断りがない場合、本メッセージが受諾メッセージでかつ当該コアネットワークが音声サービス及び/又は緊急呼ベアラサポートに関するネットワーク能力を有しているものとする。
【０１９４】
次に、第4の条件判別は、AMF_A240がSMF_A230との間でSMメッセージの送受信を実施するか否かを判別するためのものである。AMF_A240は、第4の条件判別が真の場合には、SMF_A230の選択、及び選択したSMF_A230との間でSMメッセージの送受信を実行し、第4の条件判別が偽の場合には、それらを省略する(S1106)。
【０１９５】
さらに、AMF_A240は、UE_A10からの登録要求メッセージの受信、及び/又はSMF_A230との間のSMメッセージの送受信の完了、及び/又は本手続き中の(C)の手続きの完了に基づいて、NR node_A122介して、UE_A10に登録受諾(Registration Accept)メッセージを送信する(S1108)。ここで、登録受諾メッセージは、N2インターフェースの制御メッセージ及びRRCメッセージに含まれて送受信されてもよい。さらに、登録受諾メッセージはN1インターフェース上で送受信されるNASメッセージであってよい。また、登録受諾メッセージは、登録要求メッセージに対する応答メッセージであってよい。
【０１９６】
尚、AMF_A240は、MME_A40から拒絶を示す、登録手続き中の(E)のメッセージを受信した場合は、本手続き中の(C)の手続きを完了し、本手続き中の(A)の手続きにおける以降の手続きを実施してもよい。
【０１９７】
尚、AMF_A240は、SMF_A230から拒絶を示すSMメッセージを受信した場合は、本手続き中の(A)の手続きを中止し、本手続き中の(B)の手続きを開始してもよい。
【０１９８】
さらに、第5の条件判別が真の場合、AMF_A240は、登録受諾メッセージに、MME_A40から受信した登録手続き中の(E)のメッセージを含めて送信してもよい。
【０１９９】
さらに、第4の条件判別が真の場合、AMF_A240は、登録受諾メッセージに、PDUセッション確立受諾メッセージ等のSMメッセージ(例えば、PDUセッション確立受諾メッセージ)を含めて送信するか、又は登録受諾メッセージとともに、PDUセッション確立受諾メッセージ等のSMメッセージ(例えば、PDUセッション確立受諾メッセージ)を送信してもよい。また、この送信方法は、登録要求メッセージの中にSMメッセージ(例えば、PDUセッション確立要求メッセージ)が含められており、かつ、第4の条件判別が真の場合に、実行されてもよい。また、この送信方法は、登録要求メッセージとともにSMメッセージ(例えば、PDUセッション確立要求メッセージ)を含められており、かつ、第4の条件判別が真の場合に、実行されてもよい。AMF_A240は、このような送信方法を行うことにより、SMのための手続きが受諾されたことを示してもよい。
【０２００】
また、AMF_A240は、登録受諾メッセージに、第10から12の識別情報を含めてもよいし、これらの識別情報を含めることで、UE_A10の要求が受諾され、かつ、コアネットワーク_B190及び/又は同一PLMN内の別のコアネットワークである、例えば、コアネットワーク_A90の音声サービス及び/又は緊急呼ベアラサポートに関するネットワーク能力情報を取得できたことを示してもよい。
【０２０１】
尚、AMF_A240は、第10から12の識別情報を登録受諾メッセージに入れるか否かを、受信した識別情報、及び/又はネットワークの能力情報、及び/又はオペレータポリシー、及び/又はネットワークの状態、及び/又はユーザの登録情報(user subscription)等に基づいて決定してもよい。例えば、第1の識別情報をUE_A10から受信した場合に、UE_A10に対して送信される情報であってよい。
【０２０２】
UE_A10は、NR node_A122介して、登録受諾メッセージを受信する(S1108)。UE_A10は、登録受諾メッセージを受信することで、登録受諾メッセージに含まれる各種の識別情報の内容を認識する。
【０２０３】
例えば、UE_A10は、登録受諾メッセージに第10の識別情報が含まれていることにより、本登録手続きを試みているコアネットワーク_B190が音声サービスをサポートしているか否かのいずれかを認識してもよい。さらに、UE_A10は、保持しているコンテキスト中にこれらの情報を記憶してしてもよい。UE_A10は、コアネットワーク_B190が音声サービスをサポートしていることを示す第10の識別情報の受信に基づいて、初期手続きの完了後に通常呼接続を実行してもよい。逆に、UE_A10は、コアネットワーク_B190音声サービスをサポートしていないことを示す第10の識別情報を受信した場合は、初期手続きの完了後に通常呼接続を実行しない。
【０２０４】
また、例えば、UE_A10は、登録受諾メッセージに第11の識別情報が含まれていることにより、コアネットワーク_B190が緊急呼ベアラをサポートしているか否かのいずれかを認識してもよい。さらに、UE_A10は、保持しているコンテキスト中にこれらの情報を記憶してしてもよい。
【０２０５】
また、例えば、UE_A10は、登録受諾メッセージに第12の識別情報が含まれていることにより、コアネットワーク_B190と同一PLMN内の別のコアネットワークである、例えば、コアネットワーク_A90の音声サービス及び/又は緊急呼ベアラをサポートしているか否かを認識してもよい。さらに、UE_A10は、保持しているコンテキスト中にこれらの情報を記憶してしてもよい。
【０２０６】
さらに、UE_A10は、音声サービスをサポートしていることを示す第10の識別情報を受信した場合、さらに、第11の識別情報に基づいて以降の通常呼及び/又は緊急呼接続を実行してもよい。
【０２０７】
さらにUE_A10は、同一PLMN内の別のコアネットワークである、例えば、コアネットワーク_A90が音声サービス及び緊急呼用ベアラサービスをサポートしていることを示す第12の識別情報を受信した場合は、コアネットワーク_A90に切り替え当該コアネットワーク経由で緊急呼接続を行ってもよい。さらに、コアネットワーク_B190が音声サービスをサポートしていることを示す第10の識別情報及びコアネットワーク_B190が緊急呼ベアラをサポートしていることを示す第11の識別情報を受信し、コアネットワーク_A90が音声サービス及び緊急呼用ベアラサービスをサポートしていないことを示す第12の識別情報を受信した場合は、コアネットワーク_B190を経由して緊急呼接続を行ってもよい。
【０２０８】
UE_A10は、さらに、登録完了(Registration Complete)メッセージを、AMF_A240に送信してもよい(S1110)。尚、UE_A10は、PDUセッション確立受諾メッセージ等のSMメッセージを受信した場合は、登録完了メッセージに、PDUセッション確立完了メッセージ等のSMメッセージを含めて送信してもよいし、SMメッセージを含めることで、SMのための手続きを完了することを示してもよい。ここで、登録完了メッセージはN1インターフェース上で送受信されるNASメッセージであってよい。また、登録完了メッセージは、登録受諾メッセージに対する応答メッセージであってよい。さらに、登録完了メッセージは、RRCメッセージ及びN2インターフェースの制御メッセージに含まれて送受信されてもよい。
【０２０９】
AMF_A240は、登録完了メッセージを受信する(S1110)。また、各装置は、登録受諾メッセージ、及び/又は登録完了メッセージの送受信に基づき、本手続き中の(A)の手続きを完了する。
【０２１０】
次に、本手続き中の(B)の手続きの各ステップを説明する。AMF_A240は、NR node_A122を介して、UE_A10に登録拒絶(Registration Reject)メッセージを送信することにより(S1112)、本手続き中の(B)の手続きを開始する。さらに、UE_A10は、登録拒絶メッセージを受信することにより、あるいは、登録受諾メッセージを受信しないことにより、UE_A10の要求が拒絶されたことを認識する。各装置は、登録拒絶メッセージの送受信に基づき、本手続き中の(B)の手続きを完了する。
【０２１１】
尚、第4の条件判別が真の場合、AMF_A240は、登録拒絶メッセージに、PDUセッション確立拒絶メッセージ等の拒絶を意味するSMメッセージを含めて送信してもよいし、拒絶を意味するSMメッセージを含めることで、SMのための手続きが拒絶されたことを示してもよい。その場合、UE_A10は、さらに、PDUセッション確立拒絶メッセージ等の拒絶を意味するSMメッセージを受信してもよいし、SMのための手続きが拒絶されたことを認識してもよい。
【０２１２】
さらに、登録拒絶メッセージは、N1インターフェース上で送受信されるNASメッセージであってよい。また、登録拒絶メッセージは、登録要求メッセージに対する応答メッセージであればよい。また、AMF_A240が送信する登録拒絶メッセージは、UE_A10の要求を拒絶するメッセージであれば、これに限らない。さらに、登録拒絶メッセージは、N2インターフェースの制御メッセージ及びRRCメッセージに含まれて送受信されてもよい。
【０２１３】
UE_A10は、登録拒絶メッセージを受信することで、登録拒絶メッセージに含まれる各種の識別情報の内容を認識する。
【０２１４】
また、第1の条件判別は、登録要求メッセージに含まれる識別情報、及び/又は加入者情報、及び/又はオペレータポリシーに基づいて実行されてもよい。例えば、第1の条件判別は、UE_A10の要求をネットワークが許可する場合、真でよい。また、第1の条件判別は、UE_A10の要求をネットワークが許可しない場合、偽でよい。さらに、第1の条件判別は、UE_A10の登録先のネットワーク、及び/又はネットワーク内の装置が、UE_A10が要求する機能を、サポートしている場合は真でよく、サポートしていない場合は偽でよい。尚、第1の条件判別の真偽が決まる条件は前述した条件に限らなくてもよい。
【０２１５】
また、第5の条件判別は、AMF_A240が、登録要求メッセージに含まれる第1の識別情報に基づいて実行してもよいし、コアネットワーク_B190の音声サービス及び/又は緊急呼ベアラのサポートの有無に関する能力情報に基づいて実行してもよい。例えば、第5の条件判別は、AMF_A240がUE_A10からの登録要求メッセージに第1の識別情報が含まれていた場合、及び/又はコアネットワーク_B190が音声サービス及び/又は緊急呼ベアラサポートをサポートしていない場合は真であってよく、AMF_A240がUE_A10からの登録要求メッセージに第1の識別情報が含まれない場合、及び/又はコアネットワーク_Bが音声サービス及び/又は緊急呼ベアラをサポートしている場合は偽であってよい。尚、第5の条件判別の真偽が決まる条件は前述した条件に限らなくてもよい。
【０２１６】
また、第4の条件判別は、AMF_A240がSMを受信したか否かに基づいて実行されてよく、登録要求メッセージにSMメッセージが含まれているかに基づいて実行されてもよい。例えば、第4の条件判別は、AMF_A240がSMを受信した場合、及び/又は登録要求メッセージにSMメッセージが含まれていた場合は真であってよく、AMF_A240がSMを受信しなかった場合、及び/又は登録要求メッセージにSMメッセージが含まれていなかった場合は偽であってよい。尚、第4の条件判別の真偽が決まる条件は前述した条件に限らなくてもよい。
【０２１７】
尚、第5の条件判別と第4の条件判別を実行する順序は、登録要求メッセージに含まれる識別情報、及び/又は加入者情報、及び/又はAMF_A240を含むコアネットワーク内の装置の設定、及び/又はオペレータポリシーに基づいて決定されてもよい。
【０２１８】
[1.3.3.PDUセッション確立手続きの概要]
次に、DN_A5に対するPDUセッションを確立するために行うPDUセッション確立手続きの概要について説明する。以下、PDUセッション確立手続きは、本手続きとも称する。本手続きは、各装置がPDUセッションを確立する為の手続きである。尚、各装置は、本手続きを、登録手続きを完了した状態で実行してもよいし、登録手続きの中で実行してもよい。また、各装置は、登録状態で本手続きを開始してもよいし、登録手続き後の任意のタイミングで本手続きを開始してもよい。また、各装置は、PDUセッション確立手続きの完了に基づいて、PDUセッションを確立してもよい。さらに、本手続きの完了に基づいて、UE_A10は、P-CSCFのアドレスを取得してもよい。さらに、本手続きの完了に基づき、UE_A10は、コアネットワーク_B190及び/又はコアネットワーク_A90のネットワーク能力情報を取得してもよく、各装置は第1の状態に遷移してもよい。さらに、各装置は、本手続きを複数回実行することで、複数のPDUセッションを確立してもよい。
【０２１９】
さらに、本手続きの完了及び/又は前述のコアネットワークへの登録手続きの完了に基づき、UE_A10及び/又はコアネットワーク内の各装置は第1の状態に遷移してもよい。
【０２２０】
[1.3.4.IMS登録手続きの概要]
次に、IMS登録手続きの概要について説明する。本手続きの開始は、UE_A10及び/又はコアネットワーク内の各装置が第2の状態であることに基づいてもよい。IMS登録手続きは、UE_A10が主導してIMSへ登録する為の手続きである。UE_A10はIMS登録されていない状態、すなわち、UE_A10のIPアドレスとネットワークから割り当てられるPublic User Identityがひもづけられていない状態であれば、任意のタイミングで本手続を開始してもよい。また、UE_A10と各IMS装置は、IMS登録完了に基づき、登録状態、すなわちUE_A10のIPアドレスとネットワークから割り当てられるPublic User Identityがひもづけられた状態であると認識してもよく、さらに、第2の状態に遷移してもよい。
【０２２１】
さらに、本手続きは、IMS登録手続き以降のIMS手続きにおけるSIP(Session Initiation Protocol)メッセージの経路を決定する。
【０２２２】
[1.3.4.1.IMS登録手続き例]
図12を用いて、IMS登録手続きを実行する手順の例を説明する。以下、本手続きとはIMS登録手続きを指す。以下、本手続きの各ステップについて説明する。
【０２２３】
まず、UE_A10は、P-CSCF_A300に対して、通常のIMS登録要求の為のREGISTER信号(S1200)を送信する。REGISTER信号を受信したP-CSCF_A300は、UE_A10の在圏情報及び信号経路に関するオペレータポリシーに基づいて、I-CSCF、ATCF、又はIBCFを介してS-CSCF_A320にREGISTER信号を転送する(S1202)。REGISTER信号を受信したS-CSCF_A320は、Contactヘッダに含まれるコンタクトアドレス、及び登録するpublic user identityを関連付けてIMS登録情報を作成し保持する。通常のIMS登録情報を作成したS-CSCFは、IMS登録が完了したことを示す情報を含めて「200 OK」をIMS登録要求の応答として、UE_A10に送信する(S1206)(S1208)。
【０２２４】
さらに、本手続きの完了に基づき、UE_A10及び/又はコアネットワーク内の各装置及び/又は各IMS装置は、第2の状態に遷移してもよい。
【０２２５】
[1.4. UEが緊急通報と認識できない場合のIMS緊急呼接続手続き、及びIMS緊急呼再接続手続きの説明]
次に、本実施形態における呼接続手続きの詳細手順を説明する前に、重複説明を避ける為、本実施形態で特有の用語や、各手続きに用いる主要な識別情報を予め説明する。
【０２２６】
まず、第2の状態は、既に説明した内容と同じであるため、省略する。
【０２２７】
次に、第3の状態は、UE_A10等のユーザ装置が、緊急呼であることを認識できない呼接続を通常呼として接続要求した結果、UE_A10が、コアネットワークを介してIMS_A7から当該呼接続要求が緊急呼であることが通知され、拒絶又はリダイレクトを示す情報を受信した状態である。
【０２２８】
さらに、第3の状態は、UE_A10が、コアネットワーク_B190及び/又はコアネットワーク_A90の音声通話サービス機能のサポート及び/又は、緊急呼専用のベアラサポートに関する情報を含むネットワーク能力情報を取得し、保持した状態であってもよい。
【０２２９】
さらに、第3の状態のUE_A10は、取得し、保持したネットワーク能力情報に基づき、緊急呼接続可能なネットワーク経由で、緊急呼接続手続きを開始してもよい。
【０２３０】
次に、本実施形態における識別情報について説明する。
【０２３１】
まず、第21の識別情報は、UE_A10が要求する接続先を示す情報であり、要求URI(Request URI)、もしくはToヘッダに設定する宛先番号であってよい。
【０２３２】
さらに、第21の識別情報が示すIMS接続先は、UE_A10が緊急呼(緊急通報番号)であることを認識できない接続(Non UE detectable Emergency Session/call)先を示す情報であってもよい。
【０２３３】
例えば、第21の識別情報は、ユーザ及び/又は加入者がダイアルした発信電話番号を非通知とするためのプリフィックス番号を付加した緊急通報番号を示す情報であってもよい。具体的には、例えば、日本国内では、「184」を付加した緊急通報番号であってもよい。
【０２３４】
また、第22の識別情報は、UE_A10が要求した呼接続が緊急呼接続であることを示す識別情報である。より詳細には、UE_A10がコアネットワークを介して、IMS_A7に対して送信した要求が、緊急呼接続用のINVITEであることを示すために、IMS_A7が、拒絶又はリダイレクトすることを示す情報である。
【０２３５】
さらに、第22の識別情報は、UE_A10が要求した呼接続が緊急呼接続であることを示し、これに加えて、UE_A10が以降の緊急呼接続を実行する際に推奨される手続きを示す情報である。
【０２３６】
また、第23の識別情報は、音声サービス機能及び緊急呼の為のベアラ又はPDUセッション機能をサポートしている同一PLMN内の別のコアネットワークを示し、UE_A10に当該コアネットワークを経由して緊急呼接続を促す識別情報であってもよい。さらにUE_A10が送信したINVITEに対する応答として、IMS_A7がコアネットワークを介してUE_A10に対して送信してもよい。
【０２３７】
次に、本実施形態における緊急呼接続手続きを、図13を用いて説明する。以下、緊急呼接続手続きを本手続きとも称し、緊急呼接続手続き(本手続き)には、UE_A10が緊急通報であると認識できない、IMS_A7を介したIMS緊急呼接続手続き及び/又は緊急呼再接続手続きが含まれる。本手続きにおける各手続きの詳細は後述する。
【０２３８】
具体的には、前述の初期手続きの完了後に、第2の状態に遷移したUE_A10及び各IMS装置及び/又はコアネットワーク内の各装置は、以降の手続きを実行してもよい(S1300)。
【０２３９】
次に、UE_A10からの緊急通報と認識できない場合のIMS緊急呼接続手続きに対して、IMS_A7が、拒絶又はリダイレクトする手続きを実行し(S1310)、UE_A10及び各IMS装置及び/又はコアネットワーク内の各装置は第3の状態に遷移する(S1320)。
【０２４０】
次に、UE_A10は、IMS緊急呼再接続を実行する(S1330)。ここで、UE_A10は、接続しているコアネットワークに対して、再度IMS緊急呼接続を実行してもよいし、同一PLMN内の別のコアネットワークに対して、IMS緊急呼接続を実行してもよい。以上により本手続は完了する。
【０２４１】
[1.4.1.UEからの緊急通報と認識できない場合のIMS緊急呼接続要求に対し、IMSからエ
ラーレスポンスを通知する手続きの概要]  まず、UEからの緊急通報と認識できない場合のIMS緊急呼接続要求に対し、IMSからエラーレスポンスを通知する手続きの概要について説明する。本手続きは、UEが緊急通報と認識できない場合のIMS緊急呼接続手続き及びIMS緊急呼接続信号が拒絶又はリダイレクトされる手続きが含まれていてよい。各手続きの詳細を以下に説明する。
【０２４２】
[1.4.1.1.UEからの緊急通報と認識できない場合のIMS緊急呼接続手続きの説明]
図14を用いて、UEからの緊急通報と認識できない場合のIMS緊急呼接続手続きについて説明する。
【０２４３】
まず、UE_A10は、P-CSCF_A300に対して通常呼接続のための接続要求(INVITE)信号を送信する(S1400)。ここで、UE_A10は、接続要求(INVITE)信号に第21の識別情報を含めて、P-CSCF_A300に送信してもよい。さらに、第21の識別情報を含む接続要求(INVITE)信号は、UE_A10が緊急通報と認識できない場合のIMS緊急呼接続信号であってよい。言い換えると、第21の識別情報を含むIMS緊急呼接続信号は、UE_A10が緊急通報と認識できない場合に送信するIMS緊急呼接続信号であってよい。
【０２４４】
尚、第21の識別情報は、UE_A10が緊急通報と認識できない緊急呼番号であってよく、UE_A10に記憶されていない、もしくは、ネットワーク登録時にネットワークからダウンロードされていない緊急呼番号である。例えば、ユーザが非通知プリフィクス番号をダイアル番号の先頭に付与した緊急通報番号であってよく、ユーザが当該番号をダイアルした場合、UE_A10は緊急通報であることを認識できず、緊急呼接続ではなく、通常呼接続を実行する。
【０２４５】
具体的には、第21の識別情報は、UE_A10が緊急通報と認識できない緊急呼番号であり、この様な緊急呼番号をUE_A10が使用する場合、UE_A10が保持している緊急通報番号と比較した結果、緊急通報番号ではないと判断し、IMS_A7に対して、緊急通報用のINVITE信号ではなく、通常呼接続のINVITE信号を送信する。さらに具体的には、UE_A10は、前述のIMS登録で受信した経路情報に基づいてSIP信号の経路設定を行い、経路設定したP-CSCFに対して、例えば非通知緊急呼番号を要求URI、もしくはToヘッダに設定した通常呼接続のためのINVITE信号を送信する。
【０２４６】
[1.4.1.2.IMSからエラーレスポンスを通知する手続きの説明]
次に、図14を用いて、IMSからエラーレスポンスを通知する手続きを説明する。
【０２４７】
まず、UE_A10が送信した、前述の接続要求(INVITE)(S1400)に基づき、P-CSCF_A300は、当該接続要求(INVITE)の接続先を確認し、接続先が緊急呼番号であると検知した場合(S1410)、UE_A10に対して緊急呼接続であることを通知する為の拒絶又はリダイレクトメッセージを送信する(S1420)。UE_A10は、IMS緊急呼再接続の挙動を決定し、本手続きを完了する(S1430)。
【０２４８】
尚、拒絶又はリダイレクトメッセージは、接続要求(INVITE)信号に対する応答であってよく、さらにSIPのエラーメッセージである「3XX」又は「4XX」又は「5XX」又は「6XX」であってもよい。
【０２４９】
尚、P-CSCF_A300が受信する接続要求(INVITE)信号は、第21の識別情報を含んでいてよく、P-CSCF_A300は、第21の識別情報に基づき、UE_A10の接続先が緊急呼番号であることを検知してもよい。
【０２５０】
さらに、P-CSCF_A300は、拒絶又はリダイレクトメッセージに第22の識別情報及び/又は第23の識別情報を含めて送信してもよい。
【０２５１】
さらに、P-CSCF_A300は、第23の識別情報を含めることで、同一PLMN内の別のコアネットワークの音声サービス機能及び緊急呼ベアラサポートに関するネットワーク能力情報を示してもよい。
【０２５２】
さらに、UE_A10は、第22の識別情報及び又は第23の識別情報を受信に基づき、後述の緊急呼再接続手続きを行うコアネットワークを決定してもよい。
【０２５３】
具体的には、拒絶又はリダイレクトメッセージのContactヘッダに、緊急呼接続であることを明示的に示すemergency URNを設定し、UE_A10に送信してもよい。例えば、警察機関への緊急通報であれば、IMS緊急呼接続信号に、専用のemergency service URNである「urn:service:sos.police」を設定する。ここで、P-CSCF_A300は、拒絶又はリダイレクトメッセージに、同一PLMN内の音声サービス機能及び緊急呼専用PDUセッション機能をサポートしている別のコアネットワークに対してIMS緊急呼接続を促す情報を含めてもよい。
【０２５４】
[1.4.2.UEからのIMS緊急呼再接続手続きの概要]
次に、UEからのIMS緊急呼再接続手続きの概要を説明する。本手続きは、緊急呼専用PDUセッションを用いたIMS緊急呼再接続手続き及び/又は通常のPDUセッションを用いたIMS緊急呼再接続手続き及び/又はCS(Circuit Switching; 回線交換)緊急呼接続手続きを含んでいてよい。各手続きの詳細を以下に説明する。
【０２５５】
[1.4.2.1.緊急呼専用PDUセッションを用いたIMS緊急呼再接続手続きの説明]
図15を用いて、緊急呼専用PDUセッションを用いたIMS緊急呼再接続手続きを説明する。
【０２５６】
まず、前述の各手続きに基づき、IMS_A7から拒絶又はリダイレクトメッセージを受信したUE_A10は、接続しているコアネットワークが緊急呼専用PDUセッション機能をサポートしているか否かを検知し、緊急呼専用PDUセッション機能をサポートしている場合は、接続中のコアネットワークに対して、緊急呼専用PDUセッションを用いてIMS緊急呼接続信号を送信する。緊急呼専用PDUセッション機能をサポートしていない場合は、同一PLMN内の別のコアネットワークに対して、緊急呼専用PDUセッションを用いてIMS緊急呼接続信号を送信してもよい。
【０２５７】
具体的には、第1の状態のUE_A10は、前述の登録手続き又は報知情報から取得した接続しているコアネットワークB_190のネットワーク機能情報に基づき、コアネットワークが緊急呼専用PDUセッション機能をサポートしているか検知する。緊急呼専用PDUセッション機能をサポートしている場合は、コアネットワーク_B190に対して、緊急呼専用のPDUセッション確立を明示的に示す情報を含んだ登録手続き及び/又はPDUセッション確立手続きを実行する(S1500)(S1502)。接続しているコアネットワーク_B190が緊急呼専用PDUセッション機能をサポートしていない場合、UE_A10は在圏位置を確認する。この時、他網に在圏している場合は、UE_A10が保持しているIMS再接続方針に基づいて、コアネットワーク_A90に対して、緊急呼専用のベアラ、又はPDUセッション確立を明示的に示す情報を含んだ登録信号を送信してもよい。UE_A10の在圏位置がホーム網である場合でも、UE_A10が保持しているIMS再接続方針に基づいて、コアネットワーク_A90に対して、緊急呼専用のPDUセッション確立を明示的に示す情報を含んだ登録信号を送信してもよい。または、UE_A10は、前記登録手続きで取得したコアネットワークA_90のネットワーク機能情報に基づいて、コアネットワークA_90が音声サービス機能及び緊急呼専用のPDUセッション機能をサポートしている場合は、コアネットワークA_90に対して、緊急呼専用のPDUセッション確立を明示的に示す情報を含んだ登録信号を送信してもよい。または、UE_A10が受信した拒絶又はリダイレクトメッセージに、同一PLMN内の音声サービス機能及び緊急呼専用PDUセッション機能をサポートしている別のコアネットワークA_90に対してIMS緊急呼接続を促す情報を含めている場合、受信した情報に基づいて、コアネットワークA_90に対して、緊急呼専用のPDUセッション確立を明示的に示す情報を含んだ登録信号を送信してもよい。尚、緊急呼専用のPDUセッション確立を明示的に示す情報は、単独のPDUセッション確立要求信号に含めてもよいし、登録信号の中のPDUセッション確立に関する情報の中に含めてもよい。緊急呼専用のPDUセッション確立を明示的に示す情報を受信したコアネットワーク_A90は、緊急呼専用のPDUセッションの取り扱いができる外部ゲートウェイを選択する。緊急呼専用のPDUセッションの取り扱いができる外部ゲートウェイは、緊急呼専用のPDUセッションの取り扱いができるP-CSCF_B310を選択し、緊急呼専用のPDUセッション確立要求への応答に、緊急呼専用のPDUセッションの取り扱いができるP-CSCF_B310のアドレスを含めてUE_A10に送信する。尚、緊急呼専用のPDUセッションの取り扱いができる外部ゲートウェイが、前記UE_A10が緊急通報と認識できない場合のIMS緊急呼接続信号を送信する際に接続した外部ゲートウェイと同じである場合、前記コアネットワーク_B190による緊急呼専用のPDUセッションの取り扱いができる外部ゲートウェイの選択、及び緊急呼専用のPDUセッションの取り扱いができるP-CSCF_B310の選択、及びUE_A10に対してのP-CSCF_B310アドレスの送信は実行しなくてもよい。
【０２５８】
次に、UE_A10は、前記緊急呼専用のP-CSCF_B310に対して、緊急呼専用のIMS登録信号を送信し、緊急呼専用のIMS登録手続きを要求する(S1504)。
【０２５９】
具体的には、UE_A10は、前記緊急呼専用のP-CSCF_B310に対して、緊急呼接続の為のIMS登録であることを明示的に示す情報をContactヘッダに含めたREGISTER信号(S1504)を送信する。REGISTER信号を受信したP-CSCF_B310は、UE_A10の在圏情報及び信号経路に関するオペレータポリシーに基づいて、I-CSCF、ATCF、又はIBCFを介してS-CSCFにREGISTER信号を転送する。REGISTER信号を受信したS-CSCFは、Contactヘッダにある緊急呼接続の為のIMS登録であることを明示的に示す情報に基づいて、緊急呼接続用のIMS登録であることを検知し、Contactヘッダにあるコンタクトアドレス、及び緊急呼接続の為のIMS登録であることを明示的に示す情報、及び登録するpublic user identityを関連付けてIMS登録情報を作成し保持する。緊急呼専用のIMS登録情報を作成したS-CSCFは、緊急呼接続の為のIMS登録が完成したことを示す情報をContactヘッダに含めて「200 OK」をUE_A10に送信する。
【０２６０】
次に、UE_A10は、前記緊急呼接続の為のIMS登録完了後、前記P-CSCF_B310に対して、緊急呼専用の信号であることを示す情報を含んだINVITEを送信し(S1506)、緊急呼専用のSIPダイアログ形成要求を行う。
【０２６１】
具体的には、UE_A10は、前記緊急呼接続の為のIMS登録で受信した経路情報を基にSIP信号の経路設定を行い、経路設定した緊急呼専用のP-CSCF_B310に対して、緊急呼接続であることを示すemergency service URNを要求URI、及びToヘッダに設定したINVITE信号を送信する(S1506)。INVITEを受信したP-CSCF_B310は、緊急呼専用接続経路を作成し、緊急呼専用CSCF(E-CSCF)等を介して緊急台へINVITE信号を転送し緊急呼専用のダイアログ形成を要求する。ダイアログ形成の成功通知を受けたP-CSCF_B310は、緊急呼専用のダイアログ形成が成功したことを通知する「200OK」をUE_A10に送信する(S1510)。
【０２６２】
[1.4.4.2.通常PDUセッションを用いたIMS緊急呼再接続手続きの説明]
次に、図15を用いて、通常PDUセッションを用いたIMS緊急呼再接続手続きを説明する。
【０２６３】
IMS_A7から拒絶又はリダイレクトメッセージを受信したUE_A10は、接続しているコアネットワークB_190が緊急呼専用PDUセッション機能をサポートしているか否かを検知し、緊急呼専用PDUセッション機能をサポートしていない場合、UE_A10がホーム網に在圏している場合は、通常PDUセッションを用いて、IMS緊急呼接続信号を送信してもよい。または、拒絶又はリダイレクトメッセージに同一PLMN内の音声サービス機能及び、緊急呼専用PDUセッション機能をサポートしている別のコアネットワーク_A90に対してIMS緊急呼接続を促す情報が含まれていない場合、通常PDUセッションを用いて、IMS緊急呼接続信号を送信してもよい。
【０２６４】
具体的には、UE_A10は、前記登録手続き、又は報知情報より取得した接続しているコアネットワークB_190が緊急呼専用PDUセッション機能をサポートしていない場合、UE_A10は在圏位置を確認する。この時、ホーム網に在圏している場合は、UE_A10が保持しているIMS再接続方針に基づいて、または前記登録手続きで取得したコアネットワークA_90のネットワーク機能情報に基づいて、コアネットワークA_90が音声サービス機能をサポートしているが、緊急呼専用PDUセッション機能をサポートしていない場合、またはUE_A10が受信した拒絶又はリダイレクトメッセージに、同一PLMN内の音声サービス機能及び、緊急呼専用PDUセッション機能をサポートしている別のコアネットワークA_90に対してIMS緊急呼接続を促す情報が含まれていない場合、コアネットワーク_A90に対して、SIP信号処理が可能なデフォルトベアラか確立されていない場合は、通常PDUセッション確立要求を含んだ登録信号を送信する。
【０２６５】
次に、UE_A10は、IMS登録状態にあるpublic user identityを保持、または認識していない場合は、前記緊急呼専用のP-CSCFに対して、通常のIMS登録信号を送信し、通常のIMS登録手続きを要求する。
【０２６６】
具体的には、UE_A10は、前記P-CSCFに対して、通常のIMS登録の為のREGISTER信号(S1504)を送信する。REGISTER信号を受信したP-CSCFは、UE_A10の在圏情報及び信号経路に関するオペレータポリシーに基づいて、I-CSCF、ATCF、又はIBCFを介してS-CSCFにREGISTER信号を転送する。REGISTER信号を受信したS-CSCFは、Contactヘッダにあるコンタクトアドレス、及び登録するpublic user identityを関連付けてIMS登録情報を作成し保持する。通常のIMS登録情報を作成したS-CSCFは、IMS登録が完成したことを示す情報を含めて200 OKをUE_A10に送信する。
【０２６７】
次に、UE_A10は、前記通常のIMS登録完了後、P-CSCFに対して、緊急呼専用の信号であることを示す情報を含んだINVITE信号を送信し、緊急呼専用のSIPダイアログ形成要求を行う。
【０２６８】
具体的には、UE_A10は、前記緊急呼接続の為のIMS登録で受信した経路情報を基にSIP信号の経路設定を行い、経路設定した緊急呼専用のP-CSCFに対して、緊急呼接続であることを示すemergency service URNを要求URI、及びToヘッダに設定したINVITE信号を送信する。INVITEを受信したP-CSCF_B310は、IMS登録で作成した信号経路、及び緊急呼接続の為の信号経路を介して、緊急台へINVITE信号を転送し通常のダイアログ形成を要求する。ダイアログ形成の成功通知を受けたP-CSCF_B310は、通常のダイアログ形成が成功したことを通知する200OKをUE_A10に送信する(S1510)。
【０２６９】
[1.4.5.3.CS緊急呼接続手続きの説明]
次に、CS緊急呼接続手続きを説明する。
【０２７０】
IMS_A7から拒絶又はリダイレクトメッセージを受信したUE_A10は、接続しているコアネットワークが緊急呼専用PDUセッション機能をサポートしているか否かを検知し、緊急呼専用PDUセッション機能をサポートしていない場合、かつ同一PLMN内の別のコアネットワークが音声サービス機能をサポートしていない場合、又は同一PLMN内の別のコアネットワークが音声サービス機能をサポートしているが、緊急呼専用PDUセッション機能をサポートしていない場合、CS(Circuit Switching; 回線交換)緊急呼接続を実行してもよい。
【０２７１】
具体的には、UE_A10は、登録手続き又は報知情報により、接続を試みている又は接続しているコアネットワークが緊急呼専用PDUセッション機能をサポートしていないことを検知し、さらに、前述の登録手続きで取得した同一PLMN内の別のコアネットワークのネットワーク機能情報又はネットワーク能力情報に基づいて、同一PLMN内の別のコアネットワークが音声サービス機能をサポートしていない場合は、CS(Circuit Switching; 回線交換)を介したCS緊急呼接続を実行してもよい。
【０２７２】
登録手続きで取得した同一PLMN内の別のコアネットワークのネットワーク機能情報に基づいて、同一PLMN内の別のコアネットワークが音声サービス機能をサポートしているが、緊急呼専用PDUセッション機能をサポートしていない場合、UE_A10は在圏位置を確認する。この時、他網に在圏している場合は、CS緊急呼接続を実行してもよい。
【０２７３】
また、リダイレクトメッセージに、同一PLMN内の音声サービス機能及び、緊急呼専用PDUセッション機能をサポートしている別のコアネットワークに対してIMS緊急呼接続を促す情報が含まれていない場合、UE_A10は在圏位置を確認する。この時、他網に在圏している場合は、CS緊急呼接続を実行してもよい。
【０２７４】
[1.5.その他]
これまで、UE_A10がコアネットワーク_B190に対する登録手続きを完了した後、同一PLMN内の別にネットワークとして例えばコアネットワークA90に切り替えた上で、IMS緊急呼再接続手続きを実施する方法について述べたが、これに限らず、UE_A10がコアネットワーク_A90に対する登録手続きを完了した後、同一PLMN内の別にネットワークとして例えばコアネットワーク_B190に切り替えた上で、IMS緊急呼再接続手続きを実施してもよい。この手続きは既に説明を行った手続きと同様となるため、説明を省略する。
【０２７５】
[2.変形例]
本発明に関わる装置で動作するプログラムは、本発明に関わる実施形態の機能を実現するように、Central Processing Unit(CPU)等を制御してコンピュータを機能させるプログラムであってもよい。プログラムあるいはプログラムによって取り扱われる情報は、一時的にRandom Access Memory(RAM)等の揮発性メモリあるいはフラッシュメモリ等の不揮発性メモリやHard Disk Drive(HDD)、あるいはその他の記憶装置システムに格納される。
【０２７６】
尚、本発明に関わる実施形態の機能を実現する為のプログラムをコンピュータが読み取り可能な記録媒体に記録してもよい。この記録媒体に記録されたプログラムをコンピュータシステムに読み込ませ、実行することによって実現してもよい。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であってもよい。
【０２７７】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ(DSP)、特定用途向け集積回路(ASIC)、フィールドプログラマブルゲートアレイ(FPGA)、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサでもよいし、従来型のプロセッサ、コントローラ、マイクロコントローラ、またはステートマシンであってもよい。前述した電気回路は、デジタル回路で構成されていてもよいし、アナログ回路で構成されていてもよい。また、半導体技術の進歩により現在の集積回路に代替する集積回路化の技術が出現した場合、本発明の一以上の態様は当該技術による新たな集積回路を用いることも可能である。
【０２７８】
尚、本願発明は上述の実施形態に限定されるものではない。実施形態では、装置の1例を記載したが、本願発明は、これに限定されるものではなく、屋内外に設置される据え置き型、または非可動型の電子機器、たとえば、AV機器、キッチン機器、掃除・洗濯機器、空調機器、オフィス機器、自動販売機、その他生活機器等の端末装置もしくは通信装置に適用出来る。
【０２７９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２８０】
1 移動通信システム
5 DN_A
6 PDN_A
7 IMS_A
10 UE_A
20 UTRAN_A
22 NB_A
24 RNC_A
25 GERAN_A
26 BSS_A
30 PGW_A
35 SGW_A
45 eNB_A
40 MME_A
50 HSS_A
70 WLAN ANa
75 WLAN ANb
80 E-UTRAN_A
90 コアネットワーク_A
120 5G-RAN_A
122 NR node_A
125 WLAN ANc
126 WAG_A
190 コアネットワーク_B
230 SMF_A
235 UPF_A
240 AMF_A
245 UDM_A
300 P-CSCF_A
310 P-CSCF_B
320 S-CSCF_A
330 E-CSCF_A
【図１】
2019004406.tif 000003
【図２】
2019004406.tif 000004
【図３】
2019004406.tif 000005
【図４】
2019004406.tif 000006
【図５】
2019004406.tif 000007
【図６】
2019004406.tif 000008
【図７】
2019004406.tif 000009
【図８】
2019004406.tif 000010
【図９】
2019004406.tif 000011
【図１０】
2019004406.tif 000012
【図１１】
2019004406.tif 000013
【図１２】
2019004406.tif 000014
【図１３】
2019004406.tif 000015
【図１４】
2019004406.tif 000016
【図１５】
2019004406.tif 000017